(57)【要約】１列の液晶シャッタを備えたカラー液晶露光装置において、液晶シャッタの液晶画素を制御する制御ＩＣの数を減らしてコストダウンを図ることを目的とする。相対移動する感光材料を露光するための液晶露光装置は、複数のカラー光を射出するカラー光源と、相対移動方向に直行する方向に配置された複数の液晶画素を有する液晶シャッタと、カラー光源から射出するカラー光の切り換え及び複数の液晶画素を駆動するための駆動回路とを有し、複数の液晶画素をＮ個毎に分割して複数の画素グループを形成し、各画素グループを構成する複数の液晶画素を、前記相対移動方向に直行する方向に所定間隔毎にずらして配置し、駆動回路は各画素グループにおいて同様のずれ位置を有する複数の液晶画素毎に時分割駆動を行う。
2004016437.tif 000002
【特許請求の範囲】
【請求項１】
相対移動する感光材料を露光するための液晶露光装置において、
複数のカラー光を射出するカラー光源と、
前記相対移動方向に直行する方向に配置された複数の液晶画素を有する液晶シャッタと、
前記カラー光源から射出するカラー光の切り換え、及び前記複数の液晶画素を駆動するための駆動回路とを有し、
前記複数の液晶画素をＮ個毎に分割して複数の画素グループを形成し、各画素グループを構成する複数の液晶画素を、前記相対移動方向に直行する方向に所定間隔毎にずらして配置し、
前記駆動回路は、各画素グループにおいて同様のずれ位置を有する複数の液晶画素毎に、時分割駆動する液晶露光装置。
【請求項２】
前記複数の液晶画素は、それぞれ第１電極及び第２電極を有し、
前記複数の液晶画素の全ての第１電極を、共通に前記駆動回路に接続し、
各画素グループにおいて同様のずれ位置を有する複数の液晶画素毎に、それらの全ての第２電極をＮ個の時分割ラインに接続し、
前記駆動回路は、前記Ｎ個の時分割ラインを切り換えることによって、前記複数の液晶素子を時分割駆動する請求項１に記載の液晶露光装置。
【請求項３】
前記駆動回路は、特定の前記時分割ラインの選択中に、前記カラー光源の射出光色を切り換える請求項２に記載の液晶露光装置。
【請求項４】
前記画素グループを構成する全液晶画素による、前記感光材料への露光が完了する書き込み周期ＷＦが、全ての前記時分割ラインの選択時間の和に等しい請求項３に記載の液晶露光装置。
【請求項５】
前記駆動回路は、前記カラー光源の発光色数をＭとした時に、前記カラー光源の射出光色を、前記１つの時分割ラインの選択時間のＭ分の１の時間で切り換える請求項４に記載の液晶露光装置。
【請求項６】
前記書き込み周期の間に前記感光材料が相対移動する距離をｈ、１つの前記画素グループ内の液晶画素数をＮとした時に、前記画素グループ内で液晶画素をずらす距離Ｈが、Ｈ＝ｈ／Ｎである請求項５に記載の液晶露光装置。
【請求項７】
前記画素グループ内の液晶画素をずらす方向が、前記感光材料の相対移動方向の下流側方向である請求項５に記載の液晶露光装置。
【請求項８】
前記液晶画素列を構成する各液晶画素の前記相対移動方向の長さが、前記書き込み周期の間に前記感光材料が相対移動する距離ｈと等しい請求項５に記載の液晶露光装置。
【請求項９】
前記カラー光源の発光色数Ｍが３であり、前記複数の液晶画素の分割数Ｎが３である、請求項３に記載の液晶露光装置。
【請求項１０】
前記カラー光源の発光色数Ｍが３であり、前記複数の液晶画素の分割数Ｎが２である、請求項３に記載の液晶露光装置。
【請求項１１】
前記カラー光源の発光色数Ｍが３であり、前記複数の液晶画素の分割数Ｎが４である、請求項３に記載の液晶露光装置。
【請求項１２】
前記駆動回路は、前記カラー光源の所定の射出光色を選択中に、前記時分割ラインを切り換える請求項２に記載の液晶露光装置。
【請求項１３】
前記画素グループを構成する全液晶画素による、前記感光材料へのカラー露光が完了する書き込み周期ＷＦが、前記時分割ラインの切り換える分割周期Ｆと前記カラー光源射出光色数Ｍとの積によって決定される請求項１２に記載の液晶露光装置。
【請求項１４】
前記書き込み周期ＷＦの間に前記感光材料が相対移動する距離をｈ、１つの画素グループ内の液晶画素数をＮ、カラー光源の射出光色数をＭとした時に、前記液晶画素同士をずらす距離Ｈが、Ｈ＝ｈ／ＮＭである請求項１３に記載の液晶露光装置。
【請求項１５】
前記画素グループ内の液晶画素をずらす方向が、前記感光材料の相対移動方向の下流側方向である請求項１３に記載の液晶露光装置。
【請求項１６】
前記液晶画素列を構成する各液晶画素の相対移動方向の長さが、前記書き込み周期ＷＦの間に前記感光材料が相対移動する距離ｈと等しい請求項１３に記載の液晶露光装置。
【請求項１７】
前記カラー光源の発光色数Ｍが３であり、前記複数の液晶画素の分割数Ｎが３である、請求項１３に記載の液晶露光装置。
【請求項１８】
前記カラー光源の発光色数Ｍが３であり、前記複数の液晶画素の分割数Ｎが２である、請求項１３に記載の液晶露光装置。
【請求項１９】
前記カラー光源の発光色数Ｍが３であり、前記複数の液晶画素の分割数Ｎが４である、請求項１３に記載の液晶露光装置。
【発明の詳細な説明】
【背景技術】  本発明は液晶露光装置に関する。特に、本発明は、カラー光源からの光の遮断及び透過を制御して、印画紙等の感光材料へのカラー露光を制御する液晶シャッタを備えたカラー液晶露光装置に関するものである。
従来技術
従来、感光材料に画像を記録する露光装置、例えば、発光ダイオード等の光源からの光の透過量を液晶シャッタによって制御し、感光材料上に潜像やカラー画像を形成する露光装置や光プリンタ装置が知られている。このような装置では、一般に、光の３原色である赤（Ｒ）、緑（Ｇ）、青Ｂの３種類の光を光源から感光材料に向けて照射する。また、このような装置では、光路中に液晶シャッタを配置し、液晶シャッタに近接した位置で感光材料を液晶シャッタに対して相対的に移動させる。さらに、感光材料の動きに同期して、画像データに従って液晶シャッタの各セル（液晶画素）を開閉制御する。各色光の透過量を制御することにより、感光材料を露光し、感光材料上に適切な画像形成を行うことができる。
従来の光プリンタ装置の一例が、特開平７−２５６９２８号公報に記載されている。この公報には、単一の光源から照射された白色光を赤、緑、青の３色の光に分離すること、３色の光を、それぞれ赤、緑、青に対応した３列の液晶画素列がある白黒シャッタアレイに導くこと、白黒シャッタアレイを透過したカラー光を収束性レンズアレイによって感光紙上に結像させてプリント画像を得ること、が開示されている。
また、この光プリンタ装置の改良型の光プリントヘッドが特開２０００−２８０５２７号公報に記載されている。この公報には、赤、緑、青のＬＥＤランプから構成される光源と、複数の液晶画素が主走査方向に１列（１色分）並んだ液晶画素列から構成された白黒シャッタアレイを用いて、装置コストを抑えた光プリントヘッドが開示されている。
しかしながら、特開２０００−２８０５２７号公報に記載される光プリンタでは、白黒シャッタアレイの各液晶画素はそれぞれドライバＩＣで駆動されているので、ドライバＩＣの数が多くなり、その分コストを下げることができないという問題点があった。
【発明の開示】
本発明の目的は、コストダウンを図ることができる光プリントヘッドを備えた液晶露光装置を提供することにある。
また、本発明の目的は、ドライバＩＣの数を減らすことができる液晶シャッタアレイを有するカラー液晶露光装置を提供することにある。
さらに、本発明の目的は、１列の液晶画素列から構成される詠唱シャッタを有する光プリントヘッドを備えたカラー液晶露光装置において、液晶シャッタを駆動するドライバＩＣの数を減らすことにより、コストダウンを図ることができるカラー液晶露光装置を提供することにある。
上記目的を達成する本発明に係る液晶露光装置は、複数のカラー光を射出するカラー光源と、相対移動方向に直行する方向に配置された複数の液晶画素を有する液晶シャッタと、カラー光源から射出するカラー光の切り換え及び複数の液晶画素を駆動するための駆動回路とを有し、複数の液晶画素をＮ個毎に分割して複数の画素グループを形成し、各画素グループを構成する複数の液晶画素を、前記相対移動方向に直行する方向に所定間隔毎にずらして配置し、駆動回路は各画素グループにおいて同様のずれ位置を有する複数の液晶画素毎に時分割駆動を行う。本発明に係る液晶露光装置によれば、液晶画素列をＮ個の液晶画素を１つのグループとした複数の画素グループに分割して、各画素グループをドライバＩＣによって駆動制御することにより、各液晶画素をそれぞれドライバＩＣによって駆動制御する場合に比べて、ドライバＩＣの数を１／Ｎにすることができ、液晶露光装置のコストを低減することができる。
さらに、本発明に係る液晶光学装置では、複数の液晶画素は、それぞれ第１電極及び第２電極を有し、複数の液晶画素の全ての第１電極を共通に駆動回路に接続し、各画素グループにおいて同様のずれ位置を有する複数の液晶画素毎に、それらの全ての第２電極をＮ個の時分割ラインに接続し、駆動回路は、Ｎ個の時分割ラインを切り換えることによって、複数の液晶素子を時分割駆動することが好ましい。
さらに、本発明に係る液晶光学装置では、駆動回路は、特定の時分割ラインの選択中に、カラー光源の射出光色を切り換えることが好ましい。
さらに、本発明に係る液晶光学装置では、画素グループを構成する全液晶画素による、感光材料への露光が完了する書き込み周期ＷＦが、全ての時分割ラインの選択時間の和に等しいことが好ましい。
さらに、本発明に係る液晶光学装置では、駆動回路は、カラー光源の発光色数をＭとした時に、カラー光源の射出光色を、１つの時分割ラインの選択時間のＭ分の１の時間で切り換えることが好ましい。
さらに、本発明に係る液晶光学装置では、書き込み周期の間に感光材料が相対移動する距離をｈ、１つの画素グループ内の液晶画素数をＮとした時に、画素グループ内で液晶画素をずらす距離Ｈが、Ｈ＝ｈ／Ｎであることが好ましい。
さらに、本発明に係る液晶光学装置では、複数のカラー光を射出するカラー光源を有し、駆動回路は、カラー光源の所定の射出光色を選択中に、時分割ラインを切り換えることが好ましい。
さらに、本発明に係る液晶光学装置では、画素グループを構成する全液晶画素による、感光材料へのカラー露光が完了する書き込み周期ＷＦが、時分割ラインの切り換える分割周期Ｆとカラー光源射出光色数Ｍとの積によって決定されることが好ましい。
さらに、本発明に係る液晶光学装置では、書き込み周期ＷＦの間に感光材料が相対移動する距離をｈ、１つの画素グループ内の液晶画素数をＮ、カラー光源の射出光色数をＭとした時に、液晶画素同士をずらす距離Ｈが、Ｈ＝ｈ／ＮＭであることが好ましい。
さらに、本発明に係る液晶光学装置では、画素グループ内の液晶画素をずらす方向が、感光材料の相対移動方向の下流側方向であることが好ましい。
さらに、本発明に係る液晶光学装置では、液晶画素列を構成する各液晶画素の相対移動方向の長さが、書き込み周期ＷＦの間に感光材料が相対移動する距離ｈと等しいことが好ましい。
さらに、本発明に係る液晶光学装置では、カラー光源の射出光色数Ｍが３であり、複数の液晶画素の分割数Ｎが３であることが好ましい。
さらに、本発明に係る液晶光学装置では、カラー光源の射出光色数Ｍが３であり、複数の液晶画素の分割数Ｎが２であることが好ましい。
さらに、本発明に係る液晶光学装置では、カラー光源の射出光色数Ｍが３であり、複数の液晶画素の分割数Ｎが４であることが好ましい。
【図面の簡単な説明】  図１は、液晶シャッタを内蔵したカラー液晶露光装置により、感光材料上に潜像を形成する動作を説明する斜視図である。
図２Ａは光源の一例を示す図であり、図２Ｂはカラー液晶露光装置の内部構成を示す説明図である。
図３Ａは液晶シャッタアレイの液晶パネル部の構成を示す斜視図であり、図３Ｂは図３ＡをＢ方向から見た側面図である。
図４Ａは図３に示した液晶パネル部をハウジング内に組み込んだ状態を示す平面図であり、図４Ｂは図４Ａに示した液晶シャッタの液晶画素列の従来の構成を示す拡大図であり、図４Ｃは図４Ａに示した本発明に係る液晶シャッタの液晶画素列の構成を示す拡大図である。
図５は、本発明の第１の実施形態に係る液晶シャッタの液晶画素配置を示す部分拡大平面図である。
図６Ａは図４Ｂに示した従来の液晶シャッタの液晶画素列の駆動回路を示す回路構成図であり、図６Ｂは図４Ｃに示した本発明に係る液晶シャッタの液晶画素列の駆動回路を示す回路構成図である。
図７は、図６Ｂに示した本発明の第１の実施形態に係る液晶シャッタにおける、隣接する３つの液晶画素の駆動波形を示す波形図である。
図８Ａは図７の時刻Ｔ０からＴ１の期間における液晶シャッタの動作と書き込まれるデータを示す説明図であり、図８Ｂは図７の時刻Ｔ１からＴ２の期間における液晶シャッタの動作と書き込まれるデータを示す説明図であり、図８Ｃは図７の時刻Ｔ２からＴ３の期間における液晶シャッタの動作と書き込まれるデータを示す説明図である。
図９Ａは図７の時刻Ｔ３からＴ４の期間における液晶シャッタの動作と書き込まれるデータを示す説明図であり、図９Ｂは図７の時刻Ｔ４からＴ５の期間における液晶シャッタの動作と書き込まれるデータを示す説明図であり、図９Ｃは図７の時刻Ｔ５からＴ６の期間における液晶シャッタの動作と書き込まれるデータを示す説明図である。
図１０Ａは図７の時刻Ｔ６からＴ７の期間における液晶シャッタの動作と書き込まれるデータを示す説明図であり、図１０Ｂは図７の時刻Ｔ７からＴ８の期間における液晶シャッタの動作と書き込まれるデータを示す説明図であり、図１０Ｃは図７の時刻Ｔ８からＴ９の期間における液晶シャッタの動作と書き込まれるデータを示す説明図である。
図１１Ａは本発明の第２の実施形態に係る液晶シャッタの液晶画素配置を示す部分拡大平面図であり、図１１Ｂは図１１Ａに示した液晶シャッタの駆動回路を示す回路構成図である。
図１２は、図１１に示した本発明の第２の実施形態に係る液晶シャッタにおける、隣接する３つの液晶画素の駆動波形を示す波形図である。
図１３Ａは本発明の第３の実施形態に係る液晶シャッタの液晶画素配置示す部分拡大平面図であり、図１３Ｂは図１３Ａに示した液晶シャッタの駆動回路を示す回路構成図である。
図１４は、図１３に示した本発明の第３の実施形態に係る液晶シャッタにおける、隣接する３つの液晶画素の駆動波形を示す波形図である。
図１５は、本発明の第４の実施形態に係る液晶シャッタの液晶画素配置を示す部分拡大平面図である。
図１６は、図１５に示した本発明の第４の実施形態に係る液晶シャッタの液晶画素列の駆動回路を示す回路構成図である。
図１７は、図１６に示した本発明の第４の実施形態に係る液晶シャッタにおける、隣接する３つの液晶画素の駆動波形を示す波形図である。
図１８Ａは図１７の時刻Ｔ０からＴ１の期間における液晶シャッタの動作と書き込まれるデータを示す説明図であり、図１８Ｂは図１７の時刻Ｔ１からＴ２の期間における液晶シャッタの動作と書き込まれるデータを示す説明図であり、図１８Ｃは図１７の時刻Ｔ２からＴ３の期間における液晶シャッタの動作と書き込まれるデータを示す説明図である。
図１９Ａは図１７の時刻Ｔ３からＴ４の期間における液晶シャッタの動作と書き込まれるデータを示す説明図であり、図１９Ｂは図１７の時刻Ｔ４からＴ５の期間における液晶シャッタの動作と書き込まれるデータを示す説明図であり、図１９Ｃは図１７の時刻Ｔ５からＴ６の期間における液晶シャッタの動作と書き込まれるデータを示す説明図である。
図２０Ａは図１７の時刻Ｔ６からＴ７の期間における液晶シャッタの動作と書き込まれるデータを示す説明図であり、図２０Ｂは図１７の時刻Ｔ７からＴ８の期間における液晶シャッタの動作と書き込まれるデータを示す説明図であり、図２０Ｃは図１７の時刻Ｔ８からＴ９の期間における液晶シャッタの動作と書き込まれるデータを示す説明図である。
図２１Ａは本発明の第５の実施形態に係る液晶シャッタの液晶画素配置を示す部分拡大平面図であり、図２１Ｂは図２１Ａに示した液晶シャッタの駆動回路を示す回路構成図である。
図２２は、図２１に示した本発明の第５の実施形態に係る液晶シャッタにおける、隣接する３つの液晶画素の駆動波形を示す波形図である。
図２３Ａは本発明の第６の実施形態に係る液晶シャッタの液晶画素配置示す部分拡大平面図であり、図２３Ｂは図２３Ａに示した液晶シャッタの駆動回路を示す回路構成図である。
図２４は、図１３に示した本発明の第６の実施形態に係る液晶シャッタにおける、隣接する３つの液晶画素の駆動波形を示す波形図である。
【発明を実施するための最良の形態】  図１は液晶シャッタを内蔵したカラー液晶露光装置１０により、感光材料１４の上に潜像１３を形成する動作を説明するものである。この図には、感光材料１４の上を一定速度で露光装置１０が矢印Ａの方向に移動すると、感光材料１４の上に潜像１３が形成される様子が示されている。
図２Ａは、カラー液晶露光装置１０のカラー光源１１を示したものであり、図２Ｂは示したカラー液晶露光装置１０の一方の端部にある側壁を取り去ってその内部の構成を示すものである。カラー液晶露光装置１０のハウジング１６の内部には、例えば、カラー光源１１として、３色のＬＥＤ（発光ダイオード）１１Ｒ，１１Ｇ，１１Ｂが設けられている。カラー光源１１から射出された光は導光部材１２に入射する。導光部材１２は、例えば、断面が直方体のアクリル樹脂の棒状体から構成される。導光部材１２の上部には、白色反射板１７が配置されている。導光部材１２に入射した光は、白色反射板１７で反射されて、カラー液晶露光装置１０の長手方向全体に行き渡り、導光部材１２の下部に配置された液晶シャッタアレイ２０に対して、光量が略均一な線状光に変換して出射される。またカラー光源１１のオンオフ制御及び切り換え制御は後述するドライバ回路によって行われる。なお、カラー光源１１の制御を後述するドライバ回路とは別個の制御回路によって制御しても良い。
液晶シャッタアレイ２０は、一直線状に並んだ多数の白黒の液晶画素（液晶シャッタ）から構成され、液晶画素が黒（オフ）の時に光を遮断し、液晶画素が白（オン）の時に光を透過させる。液晶画素のオンオフ制御は、後述するドライバ回路によって行われる。よって、導光部材１２から出射された光は、図２Ｂに示すように、白状態の液晶画素を透過し、液晶シャッタアレイ２０の下方に配置された集光性レンズアレイ１５で集光されて、感光材料１４を露光する。そして、ドライバ回路が、カラー光源１１の射出光色の選択発光制御と液晶シャッタアレイ２０のオンオフ制御を行うことにより、感光材料１４上にカラー潜像を形成することができる。
なお、図１の例では感光材料１４が固定されており、カラー液晶露光装置１０が搬送機構（図示せず）によって図中の矢印Ａの方向に一定の速度で搬送されるように構成されている。しかしながら、逆にカラー液晶露光装置１０が固定されており、感光材料１４が、搬送機構によって図中の矢印Ｚの方向に一定の速度で搬送されるように構成されていても良い。このように、カラー液晶露光装置１０と感光材料１４とが、相対的に均一な速度で移動すれば良い。
図３Ａは図２Ｂに示した液晶シャッタアレイ２０の構成を示すものであり、図３Ｂは図２ＡをＢ方向から見たものである。液晶シャッタアレイ２０は、導光部材１２に対して遠い側（図中下側）に位置する第１の液晶セル基板２１と、導光部材１２に対して近い側（図中上側）に位置する第２の液晶セル基板２２を有している。第１の液晶セル基板２１は第２の液晶セル基板２２よりも大きい。第１の液晶セル基板２１と第２の液晶セル基板２２の貼り合わせ部２３には、第１電極及、第１電極に対向する第２電極、第１及び第２電極間に配置された液晶等から構成される液晶セルを複数有する液晶画素列が形成されている。また、第１の液晶セル基板２１上において、第２の液晶セル基板２２と重ならない部分に、液晶セルを駆動するためのドライバＩＣ２４が設けられている。さらに、第１の液晶セル基板２１と第２の液晶セル基板２２の貼り合わせ部２３の外側には、それぞれ偏光板２５，２６が設けられている。
図４Ａは図２に示した液晶シャッタアレイ２０を、カラー液晶露光装置１０のハウジング１６内に設けられたベース部２５の収納凹部２６の中に組み込んだ状態を示すものである。収納凹部２６の長手方向の一方の壁面には保持部２８に保持された湾曲状の板ばね２７が設けられており、対向する壁面の２箇所に調整用ネジ２９が設けられている。さらに、収納凹部２６の底面には、液晶シャッタアレイ２０から射出した光を通すための開口部１９が設けられている。
液晶シャッタアレイ２０は、その第１の液晶セル基板２１の端部を板ばね２７に当て、板ばね２７を押圧しながら収納凹部２６内に挿入される。さらに、液晶シャッタアレイ２０は、その第１の液晶セル基板２１の反対側の端部を２つの調整ネジ２９に当接させた状態で、収納凹部２６内に収納される。なお、液晶シャッタアレイ２０の第１の液晶セル基板２１と第２の液晶セル基板２２の貼り合わせ部には、液晶シャッタとしての液晶画素列３０が設けられている。また、液晶画素列３０の中心線が開口部１９の中心線と合うように、液晶シャッタアレイ２０の収納凹部２６内の位置が、調整用ネジ２９で調整される。
図４Ｂは従来の液晶素子列４０と、開口部１９とを拡大して示すものである。従来の液晶素子列４０では、個々の液晶画素４１が一直線状に並んで構成されていた。また、開口部１９はその両端部１９ａ，１９ｂが三角形状に形成され、２つの頂点を結ぶ線が開口部１９の中心線ＣＬに一致していた。よって、従来は、調整用ネジ２９を用いて、収納凹部２６内での液晶シャッタアレイ２０の位置を調整し、液晶画素列４０の中心線を開口部１９の中心線ＣＬに一致させるようにしていた。ことにより、液晶画素列４０を透過した光が妨げられることなく全て開口部１９を通って感光材料１４に届く。
（１）第１の実施形態
図４Ｃは、本発明に係る第１の実施形態に係る液晶素子列３０及び開口部１９を示すものである。本実施形態では、液晶画素列３０を構成する液晶画素３１を３個ずつの画素グループＰＧに分割し、各画素グループＰＧ内における３つの液晶画素３１をＬ／３（Ｌは液晶画素３１の感光材料の相対移動方向の長さ）ずつずらせて配置した。
本実施形態では、各画素グループＰＧの真ん中の液晶画素３１Ｂを通る中心線が、開口部１９の中心線ＣＬに一致するように、調整用ネジ２９を用いて、収納凹部２６内での液晶シャッタアレイ２０の位置が調整される。
図５は、図４Ｃに示した本実施形態の液晶画素列３０の各液晶画素３１の配置を詳細に示すものである。各画素グループＰＧ内における３つの液晶画素３１は、液晶画素３１の感光材料の相対移動方向の全長をＬとした時に、それぞれＬ／３づつ、ずらして配置してある。そして、液晶画素３１をずらす方向は、感光材料の移動方向（図５の矢印Ｘ参照）に対して、上流側から下流側へ向かう方向とする。即ち、同じ画素グループＰＧ内で、液晶画素３１Ａに隣接する液晶画素３１Ｂは下流側にＬ／３だけずらしてあり、液晶画素３１Ｂに隣接する液晶画素３１Ｃは下流側にＬ／３だけずらしてある。隣接する画素グループＰＧの最初の液晶画素３１Ｄの位置は、液晶画素３１Ａの位置と同じである。液晶画素列３０が感光材料に対して図５の矢印Ｙで示す方向に移動する場合も同様である。
図６Ａは図４Ｂに示した従来の液晶シャッタの液晶画素列４０の駆動回路を示す回路構成図であり、図６Ｂは図４Ｃに示した本実施形態の液晶画素列３０の駆動回路を示す回路構成図である。従来の液晶画素列４０では、各液晶画素４１を構成する液晶セルの一方の電極（第１電極又は共通電極）４２が全て固定ライン４４に共通に接続され、他方の電極（第２電極又はデータ電極）４３がそれぞれ図４Ａに示したドライバＩＣ２４に接続されていた。液晶画素列４０が４８０画素の場合、１つのドライバＩＣ２４は１６０の駆動端子を有しているので、１６０×３＝４８０で、３つのドライバＩＣが必要となる。このため、ドライバＩＣ２４の出力端子数が、液晶画素列４０にある液晶画素４１の総数だけ必要であり、ドライバＩＣの大型化、或いはドライバＩＣの個数の増大が避けられなかった。
一方、図６Ｂに示す本実施形態の液晶画素列３０では、液晶画素列３０を構成する液晶画素３１が３個ずつの画素グループＰＧに分割されている。そして、各画素グループＰＧの３つの液晶画素３１を、例えば、液晶画素３１Ａ，３１Ｂ，３１Ｃとすると、液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続され、液晶画素３１Ｃを構成する液晶セルの一方の電極３２Ｃが第３の時分割ライン３７に接続されている。また、同じ画素グループＰＧ内の液晶画素３１Ａ，３１Ｂ，３１Ｃの他方の電極３３Ａ，３３Ｂ，３３Ｃは共通接続された後に、データライン３８を通じて図４Ａに示したドライバＩＣ２４に接続されている。
そして、隣接する画素グループＰＧの３つの液晶画素３１を例えば、液晶画素３１Ｄ，３１Ｅ，３１Ｆとすると、液晶画素３１Ｄは対応する液晶画素３１Ａと同様に接続され、液晶画素３１Ｅは対応する液晶画素３１Ｂと同様に接続され、液晶画素３１Ｆは対応する液晶画素３１Ｃと同様に接続されている。即ち、各画素グループにおいて同様のずれ位置を有する液晶画素のデータ電極は、全て同一の時分割ラインと接続されている。
ここで、第１の時分割ライン３５が選択状態になった時（他の時分割ラインは非選択状態）に、各画素グループＰＧの第１の時分割ライン３５に接続する液晶画素３１が光を透過する状態となる。また、第２の時分割ライン３６が選択状態になった時に、各画素グループＰＧの第２の時分割ライン３６に接続する液晶画素３１が光を透過する状態となる。さらに、第３の時分割ライン３７が選択状態になった時に、各画素グループＰＧの第３の時分割ライン３７に接続する液晶画素３１が光を透過する状態となる。
なお、図６Ｂに示されるスイッチＳＷ１〜ＳＷ３は、第１〜第３の時分割ライン３５〜３７の選択／非選択状態を分かりやすくするために描かれているものである。したがって、実際の回路は、必ずしも図示されるようなスイッチ選択回路を必須の要件とはせず、同様な機能を有する他の回路構成等を利用することができる（なお、この点については、後述する第２〜第６の実施形態についても同様である）。第１の時分割ライン３５が選択状態とはスイッチＳＷ１がオンされた状態、第１の時分割ライン３５が非選択状態とはスイッチＳＷ１がオフされた状態にそれぞれ対応する。実際には、第１〜第３の時分割ライン３５〜３７は、電気的に常に駆動回路に接続されている。
この結果、本実施形態では、各画素グループＰＧの１つの液晶画素だけがドライバＩＣ２４に接続されるので、各画素グループＰＧに３つの液晶画素３１が存在する場合は、ドライバＩＣの出力端子数が、液晶画素列３０にある液晶画素３１の総数の３分の１で良いことになる。液晶画素列３０が４８０画素の場合、１つのドライバＩＣ２４は１６０の駆動端子を有しているので、４８０÷３＝１６０から、１つのドライバＩＣのみ必要となる。即ち、図３及び図４に示した３つのドライバＩＣ２４は、本実施形態では、１つで良いことになり、大きなコストダウンを図ることができる。
図７は、図６Ｂに示した液晶画素列３０の１つの画素グループＰＧに含まれる隣接する３つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
まず、図６Ｂに示した第１、第２、第３の時分割ライン３５，３６，３７の選択／非選択状態を、スイッチＳＷ１，ＳＷ２，ＳＷ３の動作として説明する。前述のようにスイッチのオンはその時分割ラインの選択状態を意味し、オフは時分割ラインの非選択状態を意味する。スイッチＳＷ１〜ＳＷ３は、ある時間においてどれか１つだけオンしており、他のスイッチはオフのままである。時刻Ｔ０から時刻Ｔ３までの時間はスイッチＳＷ１がオンする。次の時刻Ｔ３から時刻Ｔ６の間はスイッチＳＷ２がオンし、続く時刻Ｔ６〜時刻Ｔ９までの間はスイッチＳＷ３がオンする。各スイッチＳＷ１〜ＳＷ３がオンする時間は全て同じである。以後同様に、スイッチＳＷ１〜ＳＷ３が周期的にオンオフを繰り返す。
このように、第１〜第３の時分割ライン３５〜３７は周期的に選択され、この１つの時分割ラインが選択される周期（例えば時刻Ｔ０〜Ｔ３の期間）を、選択時間と呼ぶ。
次に、ドライバＩＣからデータライン３８に与えられる画像データについて説明する。画像データは、実際にはドライバＩＣからデータライン３８に印加されるデータ電圧であり、ここではこのデータ電圧のことを画像データと表現している。また、説明を分かりやすくするために、赤色を露光する時に３つの液晶画素３１Ａ，３１Ｂ，３１Ｃに印加されるデータ電圧を、それぞれ赤色のデータＲ１，Ｒ２，Ｒ３と表現している。なお、データ電圧の大きさ、即ち、データＲ１，Ｒ２，Ｒ３の内容については、本発明の趣旨ではないので、ここでは説明しない。
スイッチＳＷ１がオンしている時刻Ｔ０から時刻Ｔ３において、画像データは、時刻Ｔ０〜Ｔ１が赤色のデータＲ１であり、時刻Ｔ１〜時刻Ｔ２が緑色のデータＧ１であり、時刻Ｔ２〜Ｔ３が青色のデータＢ１である。また、スイッチＳＷ２がオンしている時刻Ｔ３から時刻Ｔ６において、画像データは、時刻Ｔ３〜Ｔ４が赤色のデータＲ２であり、時刻Ｔ４〜Ｔ５が緑色のデータＧ２であり、時刻Ｔ５〜Ｔ６が青色のデータＢ２である。さらに、スイッチＳＷ３がオンしている時刻Ｔ６から時刻Ｔ９において、画像データは、時刻Ｔ６〜Ｔ７が赤色のデータＲ３であり、時刻Ｔ７〜Ｔ８が緑色のデータＧ３であり、時刻Ｔ８〜Ｔ９が青色のデータＢ３である。以後同様に赤、緑、青のデータがスイッチＳＷ１〜ＳＷ３の開閉に応じて、ドライバＩＣからデータライン３８に印加される。
一方、カラー光源１１にある３色のＬＥＤ１１Ｒ，１１Ｇ，１１Ｂも、或る時刻にはどれか１つのみが発光する。本実施形態では、赤色のデータＲ１，Ｒ２，Ｒ３が与えられる時刻Ｔ０〜Ｔ１，Ｔ３〜Ｔ４，Ｔ６〜Ｔ７の間は、赤色のＬＥＤ１１Ｒがのみ発光する。また、緑色のデータＧ１，Ｇ２，Ｇ３が与えられる時刻Ｔ１〜Ｔ２，Ｔ４〜Ｔ５，Ｔ７〜Ｔ８の間は、緑色のＬＥＤ１１Ｇのみが発光する。さらに、青色のデータＢ１，Ｂ２，Ｂ３が与えられる時刻Ｔ２〜Ｔ３，Ｔ５〜Ｔ６，Ｔ８〜Ｔ９の間は、青色のＬＥＤ１１Ｂのみが発光する。このように、カラー光源１１の３つのＬＥＤ１１Ｒ，１１Ｇ，１１Ｂは、データライン３８に送出される各色のデータに応じて発光する。
また、３つの液晶画素３１Ａ，３１Ｂ，３１Ｃは、スイッチＳＷ１、ＳＷ２、ＳＷ３の何れかがオンした状態でデータ電圧（即ち画像データ）が与えられた時に、光を透過する状態（以後「開く」と言う）となり、その時に発光しているＬＥＤのカラー光を透過させて、感光材料１４を露光する。
従って、液晶画素３１Ａは、スイッチＳＷ１がオンしている時刻Ｔ０〜Ｔ３の間、連続する赤色、緑色、青色のデータＲ１，Ｇ１，Ｂ１に応じて開く。即ち、液晶画素３１Ａは、時刻Ｔ０〜Ｔ１の間はＬＥＤ１１Ｒからの赤色光を透過させ、赤色のデータＲ１に応じて感光材料１４を赤色露光する。また、液晶画素３１Ａは、時刻Ｔ１〜Ｔ２の間はＬＥＤ１１Ｇからの緑色光を透過させ、緑色のデータＧ１に応じて、赤色露光後に、重ねて感光材料１４を緑色露光する。さらに、液晶画素３１Ａは、時刻Ｔ２〜Ｔ３の間はＬＥＤ１１Ｂからの青色光を透過させ、青色のデータＢ１に応じて、赤色及び青色露光後に、重ねて感光材料１４を青色露光する。
また、液晶画素３１Ｂは、スイッチＳＷ２がオンしている時刻Ｔ３〜Ｔ６の間、連続する赤色、緑色、青色のデータＲ２，Ｇ２，Ｂ２に応じて開く。即ち、液晶画素３１Ｂは、時刻Ｔ３〜Ｔ４の間はＬＥＤ１１Ｒからの赤色光を透過させ、赤色のデータＲ２に応じて感光材料１４を赤色露光する。また、液晶画素３１Ｂは、時刻Ｔ４〜Ｔ５の間はＬＥＤ１１Ｇからの緑色光を透過させ、緑色のデータＧ２に応じて、赤色露光後に、重ねて感光材料１４を緑色露光する。さらに、液晶画素３１Ｂは、時刻Ｔ５〜Ｔ６の間はＬＥＤ１１Ｂからの青色光を透過させ、青色のデータＢ２に応じて、赤色露光及び緑色露光後に、重ねて感光材料１４を青色露光する。
同様に、液晶画素３１Ｃは、スイッチＳＷ３がオンしている時刻Ｔ６〜Ｔ９の間、連続する赤色、緑色、青色のデータＲ３，Ｇ３，Ｂ３に応じて開く。即ち、液晶画素３１Ｃは、時刻Ｔ６〜Ｔ７の間はＬＥＤ１１Ｒからの赤色光を透過させ、赤色のデータＲ３に応じて感光材料１４を赤色露光する。また、液晶画素３１Ｃは、時刻Ｔ７〜Ｔ８の間はＬＥＤ１１Ｇからの緑色光を透過させ、緑色のデータＧ３に応じて、赤色露光後、重ねて感光材料１４を緑色露光する。さらに、液晶画素３１Ｃは、時刻Ｔ８〜Ｔ９の間はＬＥＤ１１Ｂからの青色光を透過させ、青色のデータＢ３に応じて、赤色露光及び緑色露光後、重ねて感光材料１４を青色露光する。
このように、本実施形態では、各画素グループＰＧにある３つの液晶画素の内の１つの液晶画素が、所定の周期で順次、感光材料１４を赤色、緑色、青色露光する。１つの液晶画素の画像データによる露光が終了すると、次に、この液晶画素に隣接する液晶画素が同じ周期で順次、感光材料１４を赤色、緑色、青色露光する。さらに、同様の動作を繰り返す。ここでは、各画素グループＰＧの個々の液晶画素が各色のデータに応じて露光する周期を「選択時間」と言う。ここでは、１番目の液晶画素が赤色、緑色、青色露光する選択時間をＪ１、２番目の液晶画素が各色全てを露光する選択時間をＪ２、３番目の液晶画素が各色全てを露光する選択時間をＪ３と表す。図７に示すように、３つの選択時間Ｊ１、Ｊ２、Ｊ３の和に相当する時間が、１つの画素グループＰＧが１ライン分の画像データを書き込む書込周期ＷＦとなる。
図８Ａ〜Ｃは、液晶画素列３０の中の、１つの画素グループＰＧを構成する３つの液晶画素の内の第１の液晶画素３１Ａが、選択時間Ｊ１において、赤、緑、青の画像データを露光する動作と、感光材料１４の上に露光される画像データを示すものである。ここでは、液晶画素列３０が感光材料１４に対して矢印Ｘの方向に移動するものとし、ハッチングで示す部分が遮光部分を示すものとする。
図８Ａは、図７の時刻Ｔ０からＴ１の期間における液晶画素３１Ａ，３１Ｂ，３１Ｃの動作と書き込まれるデータを示すものである。この期間内は液晶画素３１Ａが開いており、ＬＥＤ１１Ｒからの赤色光ＬＢＲが液晶画素３１Ａを矢印で示すように透過して、赤色のデータＲ１に応じて感光材料１４が露光される。図８Ａは時刻Ｔ０の状態を示すものである。
図８Ｂは、図７の時刻Ｔ１からＴ２の期間における液晶画素３１Ａ，３１Ｂ，３１Ｃの動作と書き込まれるデータを示すものである。この期間内も液晶画素３１Ａが開いており、ＬＥＤ１１Ｇからの緑色光ＬＢＧが液晶画素３１Ａを矢印で示すように透過して、感光材料１４は、緑色のデータＧ１に応じて露光される。画像データＧ１は既に露光されている画像データＲ１の上に、少しずれた位置から重ねて露光される。図８Ｂは時刻Ｔ１の状態を示すものである。なお、露光中も液晶画素列３０は常に矢印Ｘの方向に移動しているので、画像データＲ１の露光面積は、液晶画素３１Ａの面積よりも大きなものとなる場合がある。
図８Ｃは、図７の時刻Ｔ２からＴ３の期間における液晶画素３１Ａ，３１Ｂ，３１Ｃの動作と書き込まれるデータを示す説明図である。この期間内も液晶画素３１Ａが開いており、ＬＥＤ１１Ｂからの青色光ＬＢＢが液晶画素３１Ａを矢印で示すように透過して、感光材料１４は、青色のデータＢ１に応じて露光される。青色のデータＢ１は既に露光されている画像データＲ１，Ｇ１の上に、画像データＧ１とは少しずれた位置から重ねて露光される。図８Ｃは時刻Ｔ２の状態を示すものである。
図９Ａ〜Ｃは液晶画素列３０の中の、１つの画素グループＰＧを構成する３つの液晶画素の内の第２の液晶画素３１Ｂが、選択時間Ｊ２において、赤、緑、青の画像データを露光する動作と、感光材料１４の上に露光される画像データを示すものである。ここでも、液晶画素列３０が感光材料１４に対して矢印Ｘの方向に移動するものとし、ハッチングで示す部分が遮光部分を示すものとする。
図９Ａは、図７の時刻Ｔ３からＴ４の期間における液晶画素３１Ａ，３１Ｂ，３１Ｃの動作と書き込まれるデータを示すものである。この期間内は液晶画素３１Ｂが開いており、ＬＥＤ１１Ｒからの赤色光ＬＢＲが液晶画素３１Ｂを矢印で示すように透過して、感光材料１４は、赤色のデータＲ２に応じて露光される。液晶画素列３０の時刻Ｔ０から時刻Ｔ３までの移動距離が、液晶画素３１Ａと液晶画素３１Ｂのずれ分（Ｌ／３）に等しいので、液晶画素列３０の移動方向に直交する方向において、画像データＲ１とＲ２の露光開始位置は同じである。
図９Ｂは、図７の時刻Ｔ４からＴ６の期間における液晶画素３１Ａ，３１Ｂ，３１Ｃの動作と書き込まれるデータを示すものである。この期間内も液晶画素３１Ｂが開いており、ＬＥＤ１１Ｇからの緑色光ＬＢＧが液晶画素３１Ｂを矢印で示すように透過して、感光材料１４は、緑色のデータＧ２に応じて露光される。画像データＧ２は既に露光されている画像データＲ２の上に、少しずれた位置から重ねて露光される。図８Ｂは時刻Ｔ４の状態を示すものである。なお、露光中も液晶画素列３０は常に矢印Ｘの方向に移動しているので、画像データＲ２の露光面積は、液晶画素３１Ｂの面積よりも大きなものとなる場合がある。また、液晶画素列３０の移動方向に直交する方向において、画像データＧ１とＧ２の露光開始位置は同じである。
図９Ｃは、図７の時刻Ｔ５からＴ６の期間における液晶画素３１Ａ，３１Ｂ，３１Ｃの動作と書き込まれるデータを示す説明図である。この期間内も液晶画素３１Ｂが開いており、ＬＥＤ１１Ｂからの青色光ＬＢＢが液晶画素３１Ｂを矢印で示すように透過して、感光材料１４は、青色のデータＢ２に応じて露光される。青色のデータＢ２は既に露光されている画像データＲ２，Ｇ２の上に、画像データＧ２とは少しずれた位置から重ねて露光される。図９Ｃは時刻Ｔ５の状態を示すものである。液晶画素列３０の移動方向に直交する方向において、画像データＢ１とＢ２の露光開始位置は同じである。
図１０Ａ〜Ｃは、液晶画素列３０の中の１つの画素グループＰＧを構成する３つの液晶画素の内の第３の液晶画素３１Ｃが、選択時間Ｊ３において、赤、緑、青色露光する動作と、感光材料１４の上に露光される画像データを示すものである。ここでも、液晶画素列３０が感光材料１４に対して矢印Ｘの方向に移動するものとし、ハッチングで示す部分が遮光部分を示すものとする。
図１０Ａは、図７の時刻Ｔ３からＴ４の期間における液晶画素３１Ａ，３１Ｂ，３１Ｃの動作と書き込まれるデータを示すものである。この期間内は液晶画素３１Ｃが開いており、ＬＥＤ１１Ｒからの赤色光ＬＢＲが液晶画素３１Ｃを矢印で示すように透過して、感光材料１４は、赤色のデータＲ３に応じて露光される。なお、液晶画素列３０の時刻Ｔ３から時刻Ｔ６までの移動距離が、液晶画素３１Ｂと液晶画素３１Ｃのずれ分に等しいので、液晶画素列３０の移動方向に直交する方向において、画像データＲ２とＲ３の露光開始位置は同じである。
図１０Ｂは、図７の時刻Ｔ４からＴ６の期間における液晶画素３１Ａ，３１Ｂ，３１Ｃの動作と書き込まれるデータを示すものである。この期間内も液晶画素３１Ｃが開いており、ＬＥＤ１１Ｇからの緑色光ＬＢＧが液晶画素３１Ｃを矢印で示すように透過して、感光材料１４は、緑色のデータＧ３に応じて露光される。画像データＧ３は既に露光されている画像データＲ３の上に、少しずれた位置から重ねて露光される。図１０Ｂは時刻Ｔ７の状態を示すものである。なお、露光中も液晶画素列３０は常に矢印Ｘの方向に移動しているので、画像データＲ３の露光面積は、液晶画素３１Ｃの面積よりも大きなものとなる場合がある。また、液晶画素列３０の移動方向に直交する方向において、画像データＧ２とＧ３の露光開始位置は同じである。
図１０Ｃは、図７の時刻Ｔ８からＴ９の期間における液晶画素３１Ａ，３１Ｂ，３１Ｃの動作と書き込まれるデータを示す説明図である。この期間内も液晶画素３１Ｃが開いており、ＬＥＤ１１Ｂからの青色光ＬＢＢが液晶画素３１Ｃを矢印で示すように透過して、感光材料１４は、青色のデータＢ３に応じて露光される。青色のデータＢ３は既に露光されている画像データＲ３，Ｇ３の上に、画像データＧ３とは少しずれた位置から重ねて露光される。図１０Ｃは時刻Ｔ８の状態を示すものであり、液晶画素列３０の移動方向に直交する方向において、画像データＢ３とＢ３の露光開始位置は同じである。
このように、液晶画素列３０の移動方向Ｘに直交する方向において、各色のデータに応じた露光開始位置が同じになるのは、Ｈ＝ｈ／Ｎ＝ｈ／３の関係があるからである。ここで、書込周期ＷＦの間に感光材料１４が相対移動する距離をｈ、１つの画素グループ内の液晶画素数をＮ（本実施形態ではＮ＝３）、液晶画素同士をずらす距離をＨとする。
さらに、本実施形態では、液晶画素列３０を構成する各液晶画素３１の相対移動方向の長さＬを、ｈと等しくしている。なお、液晶画素列３０を構成する各液晶画素３１の相対移動方向の長さＬは距離ｈと等しいことが望ましいが、長さＬを距離ｈと異ならせても良い。
ここで、書込周期ＷＦ、書込周期ＷＦの間に感光材料１４が相対移動する距離ｈ、１つの画素グループ内の液晶画素数Ｎ（本実施形態ではＮ＝３）、液晶画素同士をずらす距離Ｈ、及び各液晶画素３１の相対移動方向の長さＬの関係を、図５を用いて説明する。
例えば、感光材料１４上の、或る液晶画素３１の先端部の直下の点Ｋ０の移動に着目する。書込周期ＷＦの間に感光材料１４が相対移動する距離ｈは、各液晶画素列３１の相対移動方向の長さＬと等しいので、点Ｋ０は、選択時間Ｊ１の後には、液晶画素同士をずらす距離Ｈ（＝Ｌ／３）だけ下流側の点Ｋ１の位置に移動する。また、点Ｋ０は、選択時間Ｊ１＋Ｊ２の後にはさらに距離Ｈだけ下流側の点Ｋ２の位置に移動する。さらに、点Ｋ０は、選択時間Ｊ１＋Ｊ２＋Ｊ３の後（即ち、書込周期ＷＦの後）には、液晶画素３１の相対移動方向の長さＬだけ移動した点Ｋ３の位置に移動する。
以上が、図７に示した書込周期ＷＦにおける感光材料１４への露光動作であり、以後はこの動作が繰り返される。即ち、本実施形態では、画素グループＰＧを構成する全液晶画素が３であるので、感光材料１４へのカラー露光が完了する書き込み周期ＷＦは、時分割ライン３５〜３７がそれぞれ駆動される選択時間（Ｊ１＝Ｊ２＝Ｊ３）の和となり、選択時間の３倍となる。
（２）第２の実施形態
次に、本発明に係る第２の実施形態として、液晶画素列３０を構成する液晶画素３１を２個ずつの画素グループＰＧに分割し、各画素グループＰＧ内における２つの液晶画素３１をＬ／２（Ｌは液晶画素３１の感光材料の相対移動方向の長さ）ずらして配置とした構成について説明する。
本実施形態では、各画素グループＰＧの２つの液晶画素の中心を通る中心線が、開口部１９の中心線ＣＬに一致するように、調整用ネジ２９を用いて、収納凹部２６内での液晶シャッタアレイ２０の位置が調整される。
図１１Ａは、第２の実施形態における液晶シャッタの液晶画素列３０の構成を示す拡大図である。本実施形態では、液晶画素列３０を構成する液晶画素３１が２個ずつの画素グループＰＧに分割されている。そして、各画素グループＰＧ内における２つの液晶画素３１は、液晶画素３１の感光材料の相対移動方向の全長をＬとした時に、Ｌ／２ずらせて配置してある。そして、液晶画素３１をずらす方向は、感光材料の移動方向（図１１Ａの矢印Ｘの方向）に対して、上流側から下流側に向かう方向である。即ち、同じ画素グループＰＧ内で液晶画素３１Ａに隣接する液晶画素３１Ｂは下流側にＬ／２だけずれている。隣接する画素グループＰＧの最初の液晶画素３１Ｃの位置は、液晶画素３１Ａの位置と同じである。液晶画素列３０が感光材料に対して図１１Ａの矢印Ｙ方向に移動する場合も同様である。
図１１Ｂは、本実施形態における液晶シャッタの液晶画素列３０の駆動回路を示す回路構成図である。本実施形態では、液晶画素列３０を構成する液晶画素３１が２個ずつの画素グループＰＧに分割されている。そして、各画素グループＰＧの２つの液晶画素３１を、例えば、液晶画素３１Ａ，３１Ｂとすると、液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続されている。また、同じ画素グループＰＧ内の液晶画素３１Ａ，３１Ｂの他方の電極３３Ａ，３３Ｂは共通接続された後に、データライン３８を通じて図４に示したドライバＩＣ２４に接続されている。
そして、隣接する画素グループＰＧの２つの液晶画素３１を例えば、液晶画素３１Ｃ，３１Ｄとすると、液晶画素３１Ｃは対応する液晶画素３１Ａと同様に接続され、液晶画素３１Ｄは対応する液晶画素３１Ｂと同様に接続されている。また、第１の時分割ライン３５に設けられたスイッチＳＷ１がオンの時（第１の時分割ライン３５が選択状態の時）に、各画素グループＰＧの第１の時分割ライン３５に接続する液晶画素３１が光を透過する状態となる。また、第２の時分割ライン３６に設けられたスイッチＳＷ２がオンの時（第２の時分割ライン３６が選択状態の時）に、各画素グループＰＧの第２の時分割ライン３６に接続する液晶画素３１が光を透過する状態となる。
この結果、本実施形態では、各画素グループＰＧで１つの電極だけがドライバＩＣ２４に接続されるので、各画素グループＰＧに２つの液晶画素３１が存在する場合は、ドライバＩＣの出力端子数が、液晶画素列３０にある液晶画素３１の総数の２分の１で良いことになる。液晶画素列３０が４８０画素の場合、１つのドライバＩＣ２４は１６０の駆動端子を有しているので、４８０÷２＝２４０から、２つのドライバＩＣのみ必要となる。即ち、図３及び図４に示した３つのドライバＩＣ２４は、本実施形態では、２つで良いことになり、大きなコストダウンを図ることができる。
図１２は図１１に示した液晶画素列３０の１つの画素グループＰＧに含まれる隣接する２つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
図１１Ｂに示した第１、第２の時分割ライン３５，３６の選択／非選択状態を、各ラインに設けられたスイッチＳＷ１，ＳＷ２の動作として説明する。スイッチＳＷ１とＳＷ２は、ある時間においてどちらか一方だけオンしており、他方のスイッチはオフのままである。時刻Ｔ０から時刻Ｔ３までの時間はスイッチＳＷ１がオンする。次の時刻Ｔ３から時刻Ｔ６の間はスイッチＳＷ２がオンする。各スイッチＳＷ１，ＳＷ２がオンする時間は同じである。スイッチＳＷ２のオンが時刻Ｔ６で終了すると、スイッチＳＷ１が時刻Ｔ６において再びオンする。この後は、スイッチＳＷ１，ＳＷ２が同様の周期でオンオフを繰り返す。
次に、ドライバＩＣからデータライン３８に与えられる画像データについて説明する。画像データは、スイッチＳＷ１がオンしている時刻Ｔ０から時刻Ｔ３の間は、時刻Ｔ０〜Ｔ１までは赤色のデータＲ１、時刻Ｔ１〜Ｔ２までは緑色のデータＧ１、時刻Ｔ２〜Ｔ３までは青色のデータＢ１が与えられる。また、スイッチＳＷ２がオンしている時刻Ｔ３から時刻Ｔ６までの間は、時刻Ｔ３〜Ｔ４までは赤色のデータＲ２、時刻Ｔ４〜Ｔ５までは緑色のデータＧ２、時刻Ｔ５〜Ｔ６までは青色のデータＢ２が与えられる。
一方、カラー光源１１の３色のＬＥＤ１１Ｒ，１１Ｇ，１１Ｂも、或る時間にはどれか１つのみが発光する。第２の実施形態では、赤色のデータＲ１，Ｒ２が与えられる時刻Ｔ０〜Ｔ１と時刻Ｔ３〜Ｔ４の間は、赤色のＬＥＤ１１Ｒが発光し、緑色のデータＧ１，Ｇ２が与えられる時刻Ｔ１〜Ｔ２と時刻Ｔ４〜Ｔ５の間は、緑色のＬＥＤ１１Ｇが発光し、青色のデータＢ１，Ｂ２が与えられる時刻Ｔ２〜Ｔ３と時刻Ｔ５〜Ｔ６の間は、青色のＬＥＤ１１Ｂが発光する。このように、カラー光源１１の３つのＬＥＤ１１Ｒ，１１Ｇ，１１Ｂは、データライン３８に送出される各色のデータに応じて発光する。
また、２つの液晶画素３１Ａ，３１Ｂは、スイッチＳＷ１、ＳＷ２のどちらかがオンした状態でデータ電圧（即ち、画像データ）が与えられた時に開き、その時に発光しているＬＥＤのカラー光を透過させて、感光材料１４を露光する。
従って、液晶画素３１Ａは、スイッチＳＷ１がオンしている時刻Ｔ０〜Ｔ３の間、連続する赤色、緑色、青色のデータＲ１，Ｇ１，Ｂ１に応じて開く。即ち、液晶画素３１Ａは、時刻Ｔ０〜Ｔ１の間はＬＥＤ１１Ｒからの赤色光を透過させて、赤色のデータＲ１に応じて感光材料１４を露光し、時刻Ｔ１〜Ｔ２の間はＬＥＤ１１Ｇからの緑色光を透過させて、赤色露光後に、緑色のデータＧ１に応じて感光材料１４を重ねて露光し、時刻Ｔ２〜Ｔ３の間はＬＥＤ１１Ｂからの青色光を透過させて、赤色露光及び緑色露光後に、青色のデータＢ１に応じて感光材料１４を重ねて露光する。
また、液晶画素３１Ｂは、スイッチＳＷ２がオンしている時刻Ｔ３〜Ｔ６の間、連続する赤色、緑色、青色のデータＲ２，Ｇ２，Ｂ２に応じて開く。即ち、液晶画素３１Ｂは、時刻Ｔ３〜Ｔ４の間はＬＥＤ１１Ｒからの赤色光を透過させて、赤色のデータＲ２に応じて感光材料１４を露光し、時刻Ｔ４〜Ｔ５の間はＬＥＤ１１Ｇからの緑色光を透過させて、赤色露光後に、緑色のデータＧ２に応じて感光材料１４を重ねて露光し、時刻Ｔ５〜Ｔ６の間はＬＥＤ１１Ｂからの青色光を透過させて、赤色露光及び緑色露光後に、青色のデータＢ２に応じて感光材料１４を重ねて露光する。
このように、第２の実施形態では、各画素グループＰＧにある２つの液晶画素の内の１つが、交代に所定の周期で、感光材料１４へ赤色、緑色、及び青色露光を行う。即ち、１つの液晶画素は、まず赤色のデータに応じて露光を行い、赤色のデータに応じた露光が終了すると次に緑色のデータに応じて重ねて露光を行い、その次に青色のデータに応じて重ねて露光を行うという動作を繰り返す。
以上の動作が書込周期ＷＦにおける感光材料１４への露光動作であり、以後はこの動作が繰り返される。即ち、本実施形態では、画素グループＰＧを構成する全液晶画素が２であるので、感光材料１４へのカラー露光が完了する書き込み周期ＷＦは、時分割ライン３５，３６を駆動する選択時間（Ｊ１＝Ｊ２）の和によって決定され、選択時間の２倍となる。
第２の実施形態においても、液晶画素列３０の移動方向Ｘに直交する方向において、各色のデータに応じた露光開始位置が同じになるのは、Ｈ＝ｈ／Ｎ＝ｈ／２の関係があるからである。ここで、書込周期ＷＦの間に感光材料１４が相対移動する距離をｈ、１つの画素グループ内の液晶画素数をＮ（本実施形態ではＮ＝２）、液晶画素同士をずらす距離をＨとする。
さらに、本実施形態では、液晶画素列３０を構成する各液晶画素３１の相対移動方向の長さＬを、ｈと等しくしている。なお、液晶画素列３０を構成する各液晶画素３１の相対移動方向の長さＬは距離ｈと等しいことが望ましいが、長さＬを距離ｈと異ならせても良い。
（３）第３の実施形態
次に、本発明に係る第３の実施形態として、液晶画素列３０を構成する液晶画素３１を４個ずつの画素グループＰＧに分割し、各画素グループＰＧ内における４つの液晶画素３１をＬ／４（Ｌは液晶画素３１の感光材料の相対移動方向の長さ）ずらせた配置とした構成について説明する。
図１３Ａは第３の実施形態における液晶シャッタの液晶画素列３０の構成を示す拡大図である。本実施形態では、液晶画素列３０を構成する液晶画素３１が４個ずつの画素グループＰＧに分割されている。そして、各画素グループＰＧ内における４つの液晶画素３１は、液晶画素３１の感光材料の相対移動方向の全長をＬとした時に、Ｌ／４ずつずらせて配置してある。そして、液晶画素３１をずらす方向は、感光材料の移動方向（図１３Ａの矢印Ｘで示す方向）を流れと見た時に、上流側から下流側に向かう方向である。即ち、同じ画素グループＰＧ内で液晶画素３１Ａに隣接する液晶画素３１Ｂは下流側にＬ／４だけずれており、同様に、液晶画素３１Ｂと液晶画素３１Ｃ、及び液晶画素３１Ｃと液晶画素３１ＤもＬ／４ずつずれている。また、隣接する画素グループＰＧの最初の液晶画素（図示せず）の位置は、液晶画素３１Ａの位置と同じである。液晶画素列３０が感光材料に対して図１３Ａに矢印Ｙで示す方向に移動する場合も同様である。
図１３Ｂは、図１３Ａに示す液晶シャッタの液晶画素列３０の駆動回路を示す回路構成図である。本実施形態の液晶画素列３０では、各画素グループＰＧの４つの液晶画素３１を、例えば、液晶画素３１Ａ，３１Ｂ，３１Ｃ，３１Ｄとする。液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続され、液晶画素３１Ｃを構成する液晶セルの一方の電極３２Ｃが第３の時分割ライン３７に接続され、液晶画素３１Ｄを構成する液晶セルの一方の電極３ＤＢが第４の時分割ライン３９に接続されている。また、同じ画素グループＰＧ内の液晶画素３１Ａ，３１Ｂ，３１Ｃ，３１Ｄの他方の電極３３Ａ，３３Ｂ，３３Ｃ，３３Ｄは共通接続された後に、データライン３８を通じて図４Ａに示したドライバＩＣ２４に接続されている。隣接する画素グループＰＧの４つの液晶画素３１も同様に接続されている。
また、第１の時分割ライン３５に設けられたスイッチＳＷ１がオンの時（第１の時分割ライン３５が選択状態の時）に、各画素グループＰＧの第１の時分割ライン３５に接続する液晶画素３１が光を透過する状態となり、第２の時分割ライン３６に設けられたスイッチＳＷ２がオンの時（第２の時分割ライン３６が選択状態の時）に、各画素グループＰＧの第２の時分割ライン３６に接続する液晶画素３１が光を透過する状態となり、第３の時分割ライン３７に設けられたスイッチＳＷ３がオンの時（第３の時分割ライン３７が選択状態の時）に、各画素グループＰＧの第３の時分割ライン３７に接続する液晶画素３１が光を透過する状態となり、第４の時分割ライン３９に設けられたスイッチＳＷ４がオンの時（第４の時分割ライン３９が選択状態の時）に、各画素グループＰＧの第４の時分割ライン３６に接続する液晶画素３１が光を透過する状態となる。
この結果、第３の実施形態では、各画素グループＰＧで１つの電極だけがドライバＩＣ２４に接続されるので、ドライバＩＣの出力端子数が、液晶画素列３０にある液晶画素３１の総数の４分の１で良いことになる。液晶画素列３０が４８０画素の場合、１つのドライバＩＣ２４は１６０の駆動端子を有しているので、４８０÷４＝１２０から、１つのドライバＩＣのみ必要となる。即ち、図３及び図４に示した３つのドライバＩＣ２４は、本発明に係る第３の実施形態では、１つで良いことになり、大きなコストダウンを図ることができる。
図１４は図１３Ｂに示した液晶画素列３０の１つの画素グループＰＧに含まれる隣接する４つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
図１３Ｂに示した第１〜第４の時分割ライン３５〜３７と３９の選択／非選択状態を、各ラインに設けられたスイッチＳＷ１〜ＳＷ４の動作として説明する。スイッチＳＷ１〜ＳＷ４は、ある時間において何れか１つだけがオンしており、他のスイッチはオフのままである。時刻Ｔ０から時刻Ｔ３までの時間はスイッチＳＷ１がオンし、時刻Ｔ３から時刻Ｔ６の間はスイッチＳＷ２がオンし、時刻Ｔ６から時刻Ｔ９の間はスイッチＳＷ３がオンし、時刻Ｔ９から時刻Ｔ１２の間はスイッチＳＷ４がオンする。各スイッチＳＷ１〜ＳＷ４がオンする時間は同じである。以後同様に、スイッチＳＷ１〜ＳＷ４が周期的にオンオフを繰り返す。
スイッチＳＷ１がオンしている時刻Ｔ０から時刻Ｔ３までは、画像データは、時刻Ｔ０〜Ｔ１が赤色のデータＲ１であり、時刻Ｔ１〜時刻Ｔ２が緑色のデータＧ１であり、時刻Ｔ２〜Ｔ３が青色のデータＢ１である。また、スイッチＳＷ２がオンしている時刻Ｔ３から時刻Ｔ６までは、画像データは、時刻Ｔ３〜Ｔ４が赤色のデータＲ２であり、時刻Ｔ４〜Ｔ５が緑色のデータＧ２であり、時刻Ｔ５〜Ｔ６が青色のデータＢ２である。さらに、スイッチＳＷ３がオンしている時刻Ｔ６から時刻Ｔ９までは、画像データは、時刻Ｔ６〜Ｔ７が赤色のデータＲ３であり、時刻Ｔ７〜Ｔ８が緑色のデータＧ３であり、時刻Ｔ８〜Ｔ９が青色のデータＢ３である。さらに、スイッチＳＷ４がオンしている時刻Ｔ９から時刻Ｔ１２までは、画像データは、時刻Ｔ９〜Ｔ１０が赤色のデータＲ４であり、時刻Ｔ１０〜Ｔ１１が緑色のデータＧ４であり、時刻Ｔ８〜Ｔ９が青色のデータＢ４である。以後同様に赤、緑、青の各データがスイッチＳＷ１〜ＳＷ４の開閉に応じて、ドライバＩＣからデータライン３８に印加される。
一方、カラー光源１１にある３色のＬＥＤ１１Ｒ，１１Ｇ，１１Ｂも、或る時間にはどれか１つのみが発光する。第３の実施形態では、赤色のデータＲ１，Ｒ２，Ｒ３、Ｒ４が与えられる時刻Ｔ０〜Ｔ１，Ｔ３〜Ｔ４，Ｔ６〜Ｔ７，Ｔ９〜Ｔ１０の間は、赤色のＬＥＤ１１Ｒが発光する。また、緑色のデータＧ１，Ｇ２，Ｇ３，Ｇ４が与えられる時刻Ｔ１〜Ｔ２，Ｔ４〜Ｔ５，Ｔ７〜Ｔ８，Ｔ１０〜Ｔ１１の間は、緑色のＬＥＤ１１Ｇが発光する。さらに、青色のデータＢ１，Ｂ２，Ｂ３，Ｇ４が与えられる時刻Ｔ２〜Ｔ３，Ｔ５〜Ｔ６，Ｔ８〜Ｔ９，Ｔ１１〜Ｔ１２の間は、青色のＬＥＤ１１Ｂが発光する。このように、カラー光源１１の３つのＬＥＤ１１Ｒ，１１Ｇ，１１Ｂは、データライン３８に送出される各色のデータに応じて発光する。
また、４つの液晶画素３１Ａ，３１Ｂ，３１Ｃ，３１Ｄは、スイッチＳＷ１、ＳＷ２、ＳＷ３，ＳＷ４の何れかがオンした状態で開き、その時に発光しているＬＥＤのカラー光を透過させて、感光材料１４を露光する。
従って、液晶画素３１Ａは、スイッチＳＷ１がオンしている時刻Ｔ０〜Ｔ３の間、連続する赤色、緑色、青色のデータＲ１，Ｇ１，Ｂ１に応じて開く。即ち、液晶画素３１Ａは、時刻Ｔ０〜Ｔ１の間は、ＬＥＤ１１Ｒからの赤色光を透過させて赤色のデータＲ１に応じて感光材料１４を露光する。また、液晶画素３１Ａは、時刻Ｔ１〜Ｔ２の間は、赤色露光後に、ＬＥＤ１１Ｇからの緑色光を透過させて緑色のデータＧ１に応じて感光材料１４を重ねて露光する。さらに、液晶画素３１Ａは、時刻Ｔ２〜Ｔ３の間は、赤色露光および緑色露光後に、ＬＥＤ１１Ｂからの青色光を透過させて青色のデータＢ１に応じて感光材料１４を重ねて露光する。
また、液晶画素３１Ｂは、スイッチＳＷ２がオンしている時刻Ｔ３〜Ｔ６の間、連続する赤色、緑色、青色のデータＲ２，Ｇ２，Ｂ２に応じて開く。即ち、液晶画素３１Ｂは、時刻Ｔ３〜Ｔ４の間は、ＬＥＤ１１Ｒからの赤色光を透過させて赤色のデータＲ２に応じて感光材料１４の上を露光する。また、液晶画素３１Ｂは、時刻Ｔ４〜Ｔ５の間は、赤色露光後、ＬＥＤ１１Ｇからの緑色光を透過させて緑色のデータＧ２に応じて感光材料１４を重ねて露光する。さらに、液晶画素３１Ｂは、赤色露光及び緑色露光後、時刻Ｔ５〜Ｔ６の間は、ＬＥＤ１１Ｂからの青色光を透過させて青色のデータＢ２に応じて感光材料１４を重ねて露光する。
同様に、液晶画素３１Ｃは、スイッチＳＷ３がオンしている時刻Ｔ６〜Ｔ９の間、連続する赤色、緑色、青色のデータＲ３，Ｇ３，Ｂ３に応じて開く。即ち、液晶画素３１Ｃは、時刻Ｔ６〜Ｔ７の間は、ＬＥＤ１１Ｒからの赤色光を透過させて赤色のデータＲ３に応じて感光材料１４を露光する。また、液晶画素３１Ｃは、時刻Ｔ７〜Ｔ８の間は、赤色露光後、ＬＥＤ１１Ｇからの緑色光を透過させて緑色のデータＧ３に応じて感光材料１４を重ねて露光する。さらに、液晶画素３１Ｃは、時刻Ｔ８〜Ｔ９の間は、赤色露光及び緑色露光後に、ＬＥＤ１１Ｂからの青色光を透過させて青色のデータＢ３に応じて感光材料１４を重ねて露光する。
さらに、液晶画素３１Ｄは、スイッチＳＷ４がオンしている時刻Ｔ９〜Ｔ１２の間、連続する赤色、緑色、青色のデータＲ４，Ｇ４，Ｂ４に応じて開く。即ち、液晶画素３１Ｄは、時刻Ｔ９〜Ｔ１０の間は、ＬＥＤ１１Ｒからの赤色光を透過させて赤色のデータＲ４に応じて感光材料１４を露光する。また、液晶画素３１Ｄは、時刻Ｔ１０〜Ｔ１１の間は、赤色露光後に、ＬＥＤ１１Ｇからの緑色光を透過させて緑色のデータＧ４に応じて感光材料１４を重ねて露光する。さらに、液晶画素３１Ｄは、時刻Ｔ１１〜Ｔ１２のは、赤色露光及び緑色露光後に、ＬＥＤ１１Ｂからの青色光を透過させて青色のデータＢ３に応じて感光材料１４を重ねて露光する。
このように、第３の実施形態では、各画素グループＰＧにある４つの液晶画素の内の１つが、所定の周期で順次赤色、緑色、青色のデータに応じて感光材料１４を露光する。さらに、１つの液晶画素の露光が終了すると、次に隣接する液晶画素が同じ周期で順次赤色、緑色、青色のデータに応じて感光材料１４を露光するという動作を繰り返す。ここでも、各画素グループＰＧの個々の液晶画素が各色のデータに応じて露光する周期を選択時間としている。図１４に示すように、１番目の液晶画素が赤色、緑色、青色を露光する選択時間Ｊ１、２番目の液晶画素が各色全てを露光する選択時間をＪ２、３番目の液晶画素が各色全てを露光する選択時間をＪ３、４番目の液晶画素が各色全てを露光する選択時間をＪ４で表してある。また、ここでは、４つの選択時間Ｊ１、Ｊ２、Ｊ３、Ｊ４の和に相当する時間が書込書周ＷＦとなっている。
以上の動作が書込周期ＷＦにおける感光材料１４への露光動作であり、以後はこの動作が繰り返される。即ち、本実施形態では、画素グループＰＧを構成する全液晶画素が４であるので、感光材料１４へのカラー露光が完了する書き込み周期ＷＦは、時分割ライン３５〜３７，３９を駆動する選択時間周期（Ｊ１＝Ｊ２＝Ｊ３＝Ｊ４）の和によって決定され、選択時間の４倍となる。
第３の実施形態においても、液晶画素列３０の移動方向Ｘに直交する方向において、各色のデータに応じた露光開始位置が同じになるのは、Ｈ＝ｈ／Ｎ＝ｈ／４の関係があるからである。ここで、書込周期ＷＦの間に感光材料１４が相対移動する距離をｈ、１つの画素グループ内の液晶画素数をＮ（本実施形態ではＮ＝４）、液晶画素同士をずらす距離をＨとする。
さらに、本実施形態では、液晶画素列３０を構成する各液晶画素３１の相対移動方向の長さＬを、ｈと等しくしている。なお、液晶画素列３０を構成する各液晶画素３１の相対移動方向の長さＬは距離ｈと等しいことが望ましいが、長さＬを距離ｈと異ならせても良い。
以上、Ｎ＝３の場合（第１の実施形態）、Ｎ＝２の場合（第２の実施形態）及びＮ＝３の場合（第３の実施形態）について説明したが、同様の露光手順について、Ｎの数はこれらに限定されるものではない。
（４）第４の実施形態
次に、本発明に係る第４の実施形態として、液晶画素列３０を構成する液晶画素３１を３個ずつの画素グループＰＧに分割し、各画素グループＰＧ内における３つの液晶画素３１をＬ／３（Ｌは液晶画素３１の感光材料の相対移動方向の長さ）ずらせた配置とした構成について説明する。なお、本実施形態では、前述した第１〜第３の実施形態とは、異なる手順でカラー露光を行っている。
図１５は、本発明に係る第４の実施形態の液晶画素列３０の各液晶画素３１の配置を詳細に示すものである。各画素グループＰＧ内における３つの液晶画素３１は、液晶画素３１の感光材料の相対移動方向の全長をＬとした時に、Ｌ／９ずつずらせて配置してある。そして、液晶画素３１をずらす方向は、感光材料の移動方向（図１５に矢印Ｘで示す方向）に対して、上流側から下流側に向かう方向である。即ち、同じ画素グループＰＧ内で液晶画素３１Ａに隣接する液晶画素３１Ｂは下流側にＬ／９だけずれ、液晶画素３１Ｂに隣接する液晶画素３１Ｃは下流側にＬ／９だけずれている。隣接する画素グループＰＧの最初の液晶画素３１Ｄの位置は、液晶画素３１Ａの位置と同じである。液晶画素列３０が感光材料に対して図１５に矢印Ｙで示す方向に移動する場合も同様である。
図１６は、図１５に示した本発明に係る第４の実施形態の液晶シャッタの液晶画素列３０の駆動回路を示す回路構成図である。図１６に示す液晶画素列３０では、液晶画素列３０を構成する液晶画素３１が３個ずつの画素グループＰＧに分割されている。そして、各画素グループＰＧの３つの液晶画素３１を、例えば、液晶画素３１Ａ，３１Ｂ，３１Ｃとしている。液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続され、液晶画素３１Ｃを構成する液晶セルの一方の電極３２Ｃが第３の時分割ライン３７に接続されている。また、同じ画素グループＰＧ内の液晶画素３１Ａ，３１Ｂ，３１Ｃの他方の電極３３Ａ，３３Ｂ，３３Ｃは共通接続された後に、データライン３８を通じて図４に示したドライバＩＣ２４に接続されている。
そして、隣接する画素グループＰＧの３つの液晶画素３１を例えば、液晶画素３１Ｄ，３１Ｅ，３１Ｆとすると、液晶画素３１Ｄは対応する液晶画素３１Ａと同様に接続され、液晶画素３１Ｅは対応する液晶画素３１Ｂと同様に接続され、液晶画素３１Ｆは対応する液晶画素３１Ｃと同様に接続されている。また、第１の時分割ライン３５が選択状態になった時（他の時分割ラインは非選択状態）に、各画素グループＰＧの第１の時分割ライン３５に接続する液晶画素３１が光を透過する状態となり、第２の時分割ライン３６が選択状態になった時に、各画素グループＰＧの第２の時分割ライン３６に接続する液晶画素３１が光を透過する状態となり、第３の時分割ライン３７が選択状態になった時に、各画素グループＰＧの第３の時分割ライン３７に接続する液晶画素３１が光を透過する状態となる。
この結果、第４の実施形態では、各画素グループＰＧで１つの電極だけがドライバＩＣ２４に接続されるので、ドライバＩＣの出力端子数が、液晶画素列３０にある液晶画素３１の総数の３分の一で良いことになる。液晶画素列３０が４８０画素の場合、１つのドライバＩＣ２４は１６０の駆動端子を有しているので、４８０÷３＝１６０から、１つのドライバＩＣのみ必要となる。即ち、図３及び図４に示した３つのドライバＩＣ２４は、本実施形態では、１つで良いことになり、大きなコストダウンを図ることができる。
図１７は図１６に示した液晶画素列３０の１つの画素グループＰＧに含まれる隣接する３つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
まず、図１６に示した第１、第２、第３の時分割ライン３５，３６，３７の選択／非選択状態を、スイッチＳＷ１，ＳＷ２，ＳＷ３の動作として説明する。前述のようにスイッチのオンはその時分割ラインが選択された状態であり、オフは時分割ラインの非選択状態である。スイッチＳＷ１〜ＳＷ３は、ある時間においてどれか１つだけオンしており、他のスイッチはオフのままである。時刻Ｔ０から時刻Ｔ１までの時間はスイッチＳＷ１がオンする。次の時刻Ｔ１から時刻Ｔ２の間はスイッチＳＷ２がオンする。続く時刻Ｔ２〜時刻Ｔ３までの間はスイッチＳＷ３がオンする。各スイッチＳＷ１〜ＳＷ３がオンする時間は全て同じである。スイッチＳＷ３のオンが時刻Ｔ３で終了すると、再びスイッチＳＷ１が時刻Ｔ３から時刻Ｔ４までオンする。この後は、スイッチＳＷ２が時刻Ｔ４から時刻Ｔ５までオンし、スイッチＳＷ３が時刻Ｔ５から時刻Ｔ６までオンする。以後同様に、スイッチＳＷ１〜ＳＷ３が周期的にオンオフを繰り返す。
このように、第１〜第３の時分割ライン３５〜３７は周期的に選択され、この１つの時分割ラインが選択される周期（例えば時刻Ｔ０〜Ｔ３の期間）を、本実施形態では分割周期と呼ぶ。
画像データは、スイッチＳＷ１がオンしている時刻Ｔ０から時刻Ｔ１までは赤色のデータＲ１であり、スイッチＳＷ２がオンしている時刻Ｔ１から時刻Ｔ２までは赤色のデータＲ２であり、スイッチＳＷ３がオンしている時刻Ｔ２から時刻Ｔ３までは赤色のデータＲ３である。また、画像データは、スイッチＳＷ１がオンしている時刻Ｔ３から時刻Ｔ４までは緑色のデータＧ１であり、スイッチＳＷ２がオンしている時刻Ｔ４から時刻Ｔ５までは緑色のデータＧ２であり、スイッチＳＷ３がオンしている時刻Ｔ５から時刻Ｔ６までは緑色のデータＧ３である。さらに、画像データは、スイッチＳＷ１がオンしている時刻Ｔ６から時刻Ｔ７までは青色のデータＢ１であり、スイッチＳＷ２がオンしている時刻Ｔ７から時刻Ｔ８までは青色のデータＢ２であり、スイッチＳＷ３がオンしている時刻Ｔ８から時刻Ｔ９までは青色のデータＢ３である。
一方、カラー光源１１にある３色のＬＥＤ１１Ｒ，１１Ｇ，１１Ｂも、或る時間にはどれか１つのみが発光する。本実施形態では、赤色のデータＲ１〜Ｒ３が与えられている時刻Ｔ０から時刻Ｔ３の間は、赤色のＬＥＤ１１Ｒが発光し、緑色のデータＧ１〜Ｇ３が与えられている時刻Ｔ３から時刻Ｔ６の間は、緑色のＬＥＤ１１Ｇが発光し、青色のデータＢ１〜Ｂ３が与えられている時刻Ｔ６から時刻Ｔ９の間は、青色のＬＥＤ１１Ｂが発光する。このように、カラー光源１１の３つのＬＥＤ１１Ｒ，１１Ｇ，１１Ｂは、データライン３８に送出される各色のデータに応じて発光する。
また、３つの液晶画素３１Ａ，３１Ｂ，３１Ｃは、スイッチＳＷ１、ＳＷ２、ＳＷ３の何れかがオンした状態でデータ電圧、即ち画像データが与えられた時に、光を透過する状態となり、その時に発光しているＬＥＤのカラー光を透過させて感光材料１４を露光する。
従って、液晶画素３１Ａは、赤色のデータＲ１に応じて時刻Ｔ０から時刻Ｔ１の間に開き、ＬＥＤ１１Ｒからの赤色光を透過させて感光材料１４を露光する。また、液晶画素３１Ａは、緑色のデータＧ１に応じて時刻Ｔ３から時刻Ｔ４の間に開き、ＬＥＤ１１Ｇからの緑色光を透過させて感光材料１４を露光する。さらに、液晶画素３１Ａは、青色のデータＢ１に応じて時刻Ｔ６から時刻Ｔ７の間に開き、ＬＥＤ１１Ｂからの青色光を透過させて感光材料１４を露光する。
また、液晶画素３１Ｂは、赤色のデータＲ２に応じて時刻Ｔ１から時刻Ｔ２の間に開き、ＬＥＤ１１Ｒからの赤色光を透過させて感光材料１４を露光する。また、液晶画素３１Ｂは、緑色のデータＧ２に応じて時刻Ｔ４から時刻Ｔ５の間に開き、ＬＥＤ１１Ｇからの緑色光を透過させて感光材料１４を露光する。さらに、液晶画素３１Ｂは、青色のデータＢ２に応じて時刻Ｔ７から時刻Ｔ８の間に開き、ＬＥＤ１１Ｂからの青色光を透過させて感光材料１４を露光する。
同様に、液晶画素３１Ｃは、赤色のデータＲ３に応じて時刻Ｔ２から時刻Ｔ３の間に開き、ＬＥＤ１１Ｒからの赤色光を透過させて感光材料１４を露光する。また、液晶画素３１Ｃは、緑色のデータＧ３に応じて時刻Ｔ５から時刻Ｔ６の間に開き、ＬＥＤ１１Ｇからの緑色光を透過させて感光材料１４を露光する。さらに、液晶画素３１Ｃは、青色のデータＢ３に応じて時刻Ｔ８から時刻Ｔ９の間に開き、ＬＥＤ１１Ｂからの青色光を透過させて感光材料１４を露光する。
このように、第４の実施形態では、各画素グループＰＧにある３つの液晶画素は、順次赤色のデータに応じて感光材料１４の上に露光し、次に順次緑色のデータに応じて感光材料１４の上に露光し、次に順次青色のデータに応じて感光材料１４を露光するという動作を所定の周期で繰り返す。ここでは、各画素グループＰＧが各色のデータを露光する周期を分割周期（フレーム周期）とする。図１７に示すように、赤色を露光する分割周期がＦ１、緑色を露光する分割周期がＦ２、青色を露光する分割周期がＦ３である。また、ここでは、３つの分割周期Ｆ１、Ｆ２、Ｆ３全体を書込書周ＷＦと呼ぶ。
図１８Ａ〜Ｃは液晶画素列３０の一部を示すものであり、１つの画素グループＰＧ内にある３つの液晶画素３１Ａ，３１Ｂ，３１Ｃの、赤色のデータを露光する分割周期Ｆ１における動作と、感光材料１４の上に露光される画像データを示すものである。ここでは、液晶画素列３０が感光材料１４に対して矢印Ｘの方向に移動するものとし、ハッチングで示す部分が遮光部分を示すものとする。
図１８Ａは、図１７の時刻Ｔ０からＴ１の期間における液晶画素３１Ａ，３１Ｂ，３１Ｃの動作と書き込まれるデータを示すものである。この期間内は液晶画素３１Ａが開いており、ＬＥＤ１１Ｒからの赤色光が液晶画素３１Ａを矢印で示すように透過して、赤色のデータＲ１に応じて感光材料１４が露光される。図１８Ｂは、図１７の時刻Ｔ１からＴ２の期間における液晶画素３１Ａ，３１Ｂ，３１Ｃの動作と書き込まれるデータを示すものである。この期間内は液晶画素３１Ｂが開いており、ＬＥＤ１１Ｒからの赤色光が液晶画素３１Ｂを矢印で示すように透過して、赤色のデータＲ２に応じて感光材料１４が露光される。図１８Ｃは、図１７の時刻Ｔ２からＴ３の期間における液晶画素３１Ａ，３１Ｂ，３１Ｃの動作と書き込まれるデータを示す説明図である。この期間内は液晶画素３１Ｃが開いており、ＬＥＤ１１Ｒからの赤色光が液晶画素３１Ｃを矢印で示すように透過して、赤色のデータＲ３に応じて感光材料１４が露光される。
なお、露光中も液晶画素列３０は常に矢印Ｘの方向に移動しているので、例えば、画像データＲ１の露光面積は、液晶画素３１Ａの面積よりも大きなものとなる場合がある。また、液晶画素列３０の時刻Ｔ０から時刻Ｔ１までの移動距離が、液晶画素３１Ａと液晶画素３１Ｂのずれ分に等しいので、液晶画素列３０の移動方向に直交する方向において、画像データＲ１とＲ２に応じた露光開始位置は同じである。同様に、画像データＲ２とＲ３に応じた露光開始位置も同じである。
図１９Ａ〜Ｃも液晶画素列３０の一部を示すものであり、１つの画素グループＰＧ内にある３つの液晶画素３１Ａ，３１Ｂ，３１Ｃの、緑色のデータを露光する分割周期Ｆ２における動作と、感光材料１４の上に露光される画像データを示すものである。ここでも、液晶画素列３０が感光材料１４に対して矢印Ｘの方向に移動するものとし、ハッチングで示す部分が遮光部分を示すものとする。
図１９Ａは、図１７の時刻Ｔ３からＴ４の期間における液晶画素３１Ａ，３１Ｂ，３１Ｃの動作と書き込まれるデータを示すものである。この期間内は液晶画素３１Ａが開いており、ＬＥＤ１１Ｇからの緑色光が液晶画素３１Ａを矢印で示すように透過して、赤色のデータＲ１の赤色露光の上に重ねて、緑色のデータＧ１に応じて感光材料１４が露光される。図１９Ｂは、図１７の時刻Ｔ４からＴ５の期間における液晶画素３１Ａ，３１Ｂ，３１Ｃの動作と書き込まれるデータを示すものである。この期間内は液晶画素３１Ｂが開いており、ＬＥＤ１１Ｇからの緑色光が液晶画素３１Ｂを矢印で示すように透過して、赤色のデータＲ２の赤色露光の上に重ねて、緑色のデータＧ２に応じて感光材料１４が露光される。図１９Ｃは、図１７の時刻Ｔ５からＴ６の期間における液晶画素３１Ａ，３１Ｂ，３１Ｃの動作と書き込まれるデータを示す説明図である。この期間内は液晶画素３１Ｃが開いており、ＬＥＤ１１Ｇからの緑色光が液晶画素３１Ｃを矢印で示すように透過して、赤色のデータＲ３の赤色露光の上に重ねて、緑色のデータＧ３に応じて感光材料１４が露光される。
この場合も、画像データＧ１，Ｇ２，Ｇ３の露光面積は、液晶画素３１Ａ，３１Ｂ，３１Ｃの面積よりも大きなものとなる場合がある。また、液晶画素列３０の移動方向Ｘに直交する方向における、画像データＧ１，Ｇ２，Ｇ３に応じた露光開始位置は同じである。
図２０Ａ〜Ｃも液晶画素列３０の一部を示すものであり、１つの画素グループＰＧ内にある３つの液晶画素３１Ａ，３１Ｂ，３１Ｃの、青色のデータを露光する分割周期Ｆ３における動作と、感光材料１４の上に露光される画像データを示すものである。ここでも、液晶画素列３０が感光材料１４に対して矢印Ｘの方向に移動するものとし、ハッチングで示す部分が遮光部分を示すものとする。
図２０Ａは、図１７の時刻Ｔ６からＴ７の期間における液晶画素３１Ａ，３１Ｂ，３１Ｃの動作と書き込まれるデータを示すものである。この期間内は液晶画素３１Ａが開いており、ＬＥＤ１１Ｂからの青色光が液晶画素３１Ａを矢印で示すように透過して、画像データＧ１に応じた露光の上に重ねて、青色のデータＢ１に応じて感光材料１４が露光される。図２０Ｂは、図１７の時刻Ｔ７からＴ８の期間における液晶画素３１Ａ，３１Ｂ，３１Ｃの動作と書き込まれるデータを示すものである。この期間内は液晶画素３１Ｂが開いており、ＬＥＤ１１Ｂからの青色光が液晶画素３１Ｂを矢印で示すように透過して、画像データＧ２に応じた露光の上に重ねて、青色のデータＢ２が画像データＧ２に応じて感光材料１４が露光される。図２０Ｃは、図１７の時刻Ｔ８からＴ９の期間における液晶画素３１Ａ，３１Ｂ，３１Ｃの動作と書き込まれるデータを示す説明図である。この期間内は液晶画素３１Ｃが開いており、ＬＥＤ１１Ｂからの青色光が液晶画素３１Ｃを矢印で示すように透過して、画像データＧ３に応じた露光の上に重ねて、青色のデータＢ３に応じて感光材料１４が露光される。
この場合も、画像データＧ１，Ｇ２，Ｇ３の露光面積は、液晶画素３１Ａ，３１Ｂ，３１Ｃの面積よりも大きなものとなる場合がある。また、液晶画素列３０の移動方向Ｘに直交する方向における、画像データＢ１．Ｂ２．Ｂ３に応じた露光開始位置は同じである。
このように、各色のデータの、液晶画素列３０の移動方向Ｘに直交する方向の画像データの露光開始位置が同じになるのは、Ｈ＝ｈ／ＮＭ＝ｈ／９の関係があるからである。ここで、書込周期ＷＦの間に感光材料１４が相対移動する距離をｈ、１つの画素グループ内の液晶画素数をＮ（本実施形態では、Ｎ＝３）、カラー光源の発光色数をＭ（本実施形態では、Ｍ＝３）、及び液晶画素同士をずらす距離Ｈとした。
本実施形態では、Ｌ＝ｈと設定した。このように、液晶画素列３０を構成する各液晶画素３１の相対移動方向の長さＬは距離ｈと等しいことが望ましいが、長さＬは距離ｈと異ならせても良い。
以上の動作が図１７に示した書込周期ＷＦにおける感光材料１４への露光動作であり、以後はこの動作が繰り返される。即ち、第４の実施形態では、画素グループＰＧを構成する全液晶画素が３であるので、感光材料１４へのカラー露光が完了する書き込み周期ＷＦは、時分割ライン３５〜３７を時分割駆動する分割周期（Ｆ１＝Ｆ２＝Ｆ３）と、カラー光源１１を構成するカラー光の色数３との積によって決定され、分割周期の３倍となる。
（５）第５の実施形態
次に、本発明に係る第５の実施形態として、液晶画素列３０を構成する液晶画素３１を２個ずつの画素グループＰＧに分割し、各画素グループＰＧ内における２つの液晶画素３１をＬ／６（Ｌは液晶画素３１の感光材料の相対移動方向の長さ）ずらせた配置とした構成について説明する。なお、本実施形態では、前述した第１〜第３の実施形態とは、異なる手順でカラー露光を行っている。
図２１Ａは本発明の第５の実施形態における液晶シャッタの液晶画素列３０の構成を示す拡大図である。本実施形態では、液晶画素列３０を構成する液晶画素３１が２個ずつの画素グループＰＧに分割されている。そして、各画素グループＰＧ内における２つの液晶画素３１は、液晶画素３１の感光材料の相対移動方向の全長をＬとした時に、Ｌ／６ずらせて配置してある。そして、液晶画素３１をずらす方向は、感光材料の移動方向（図２１Ａに矢印Ｘで示す方向）に対して、上流側から下流側に向かう方向である。即ち、同じ画素グループＰＧ内で液晶画素３１Ａに隣接する液晶画素３１Ｂは下流側にＬ／６だけずれている。隣接する画素グループＰＧの最初の液晶画素３１Ｃの位置は、液晶画素３１Ａの位置と同じである。液晶画素列３０が感光材料に対して図２１Ａに矢印Ｙで示す方向に移動する場合も同様である。
図２１Ｂは図２１Ａに示す液晶シャッタの液晶画素列３０の駆動回路を示す回路構成図である。液晶画素列３０では、液晶画素列３０を構成する液晶画素３１が２個ずつの画素グループＰＧに分割されている。そして、各画素グループＰＧの２つの液晶画素３１を、例えば、液晶画素３１Ａ，３１Ｂとすると、液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続されている。また、同じ画素グループＰＧ内の液晶画素３１Ａ，３１Ｂの他方の電極３３Ａ，３３Ｂは共通接続された後に、データライン３８を通じて図４Ａに示したドライバＩＣ２４に接続されている。
そして、隣接する画素グループＰＧの２つの液晶画素３１を例えば、液晶画素３１Ｃ，３１Ｄとすると、液晶画素３１Ｃは対応する液晶画素３１Ａと同様に接続され、液晶画素３１Ｄは対応する液晶画素３１Ｂと同様に接続されている。また、第１の時分割ライン３５に設けられたスイッチＳＷ１がオンの時（第１の時分割ライン３５が選択状態の時）に、各画素グループＰＧの第１の時分割ライン３５に接続する液晶画素３１が光を透過する状態となり、第２の時分割ライン３６に設けられたスイッチＳＷ２がオンの時（第２の時分割ライン３６が選択状態の時）に、各画素グループＰＧの第２の時分割ライン３６に接続する液晶画素３１が光を透過する状態となる。
この結果、本実施形態では、各画素グループＰＧで１つの電極だけがドライバＩＣ２４に接続されるので、各画素グループＰＧに２つの液晶画素３１が存在する場合は、ドライバＩＣの出力端子数が、液晶画素列３０にある液晶画素３１の総数の二分の一で良いことになる。液晶画素列３０が４８０画素の場合、１つのドライバＩＣ２４は１６０の駆動端子を有しているので、４８０÷２＝２４０から、２つのドライバＩＣのみ必要となる。即ち、図３及び図４に示した３つのドライバＩＣ２４は、本実施形態では、２つで良いことになり、大きなコストダウンを図ることができる。
図２２は図２１Ｂに示した液晶シャッタにおいて、１つの画素グループＰＧに含まれる隣接する２つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
第５の実施形態でも、図２１Ｂに示した第１、第２の時分割ライン３５，３６の選択／非選択状態を、各ラインに設けられたスイッチＳＷ１，ＳＷ２の動作として説明する。スイッチＳＷ１とＳＷ２は、ある時間においてどちらか一方だけオンしており、他方のスイッチはオフのままである。時刻Ｔ０から時刻Ｔ１までの時間はスイッチＳＷ１がオンする。次の時刻Ｔ１から時刻Ｔ２の間はスイッチＳＷ２がオンする。各スイッチＳＷ１，ＳＷ３がオンする時間は同じである。スイッチＳＷ２のオンが時刻Ｔ２で終了すると、スイッチＳＷ１が時刻Ｔ２から時刻Ｔ３まで再びオンする。この後は、スイッチＳＷ２が時刻Ｔ３から時刻Ｔ４までオンし、以後同様に、スイッチＳＷ１，ＳＷ２が周期的にオンオフを繰り返す。
次に、ドライバＩＣからデータライン３８に与えられる画像データについて説明する。画像データは、スイッチＳＷ１がオンしている時刻Ｔ０から時刻Ｔ１までは赤色のデータＲ１であり、スイッチＳＷ２がオンしている時刻Ｔ１から時刻Ｔ２までは赤色のデータＲ２である。また、画像データは、スイッチＳＷ１がオンしている時刻Ｔ２から時刻Ｔ３までは緑色のデータＧ１であり、スイッチＳＷ２がオンしている時刻Ｔ３から時刻Ｔ４までは緑色のデータＧ２である。さらに、画像データは、スイッチＳＷ１がオンしている時刻Ｔ４から時刻Ｔ５までは青色のデータＢ１であり、スイッチＳＷ２がオンしている時刻Ｔ５から時刻Ｔ６までは青色のデータＢ２である。
一方、カラー光源１１にある３色のＬＥＤ１１Ｒ，１１Ｇ，１１Ｂも、或る時間にはどれか１つのみが発光する。本実施形態では、赤色のデータＲ１，Ｒ２が与えられている時刻Ｔ０から時刻Ｔ２の間は、赤色のＬＥＤ１１Ｒが発光し、緑色のデータＧ１，Ｇ２が与えられている時刻Ｔ２から時刻Ｔ４の間は、緑色のＬＥＤ１１Ｇが発光し、青色のデータＢ１，Ｂ２が与えられている時刻Ｔ４から時刻Ｔ６の間は、青色のＬＥＤ１１Ｂが発光する。このように、カラー光源１１の３つのＬＥＤ１１Ｒ，１１Ｇ，１１Ｂは、データライン３８に送出される各色のデータに応じて発光する。
また、２つの液晶画素３１Ａ，３１Ｂは、スイッチＳＷ１、ＳＷ２のどちらかがオンした状態でデータ電圧、即ち画像データが与えられた時に開き、その時に発光しているＬＥＤのカラー光を透過させて感光材料１４を露光する。
従って、液晶画素３１Ａは、赤色のデータＲ１に応じて時刻Ｔ０から時刻Ｔ１の間に開き、ＬＥＤ１１Ｒからの赤色光を透過させて赤色のデータＲ１に応じて感光材料１４を露光し、緑色のデータＧ１に応じて時刻Ｔ２から時刻Ｔ３の間に開き、ＬＥＤ１１Ｇからの緑色光を透過させて緑色のデータＧ１に応じて感光材料１４を露光し、青色のデータＢ１に応じて時刻Ｔ４から時刻Ｔ５の間に開き、ＬＥＤ１１Ｂからの青色光を透過させて青色のデータＢ１に応じて感光材料１４を露光する。
また、液晶画素３１Ｂは、赤色のデータＲ２に応じて時刻Ｔ１から時刻Ｔ２の間に開き、ＬＥＤ１１Ｒからの赤色光を透過させて赤色のデータＲ２に応じて感光材料１４を露光し、緑色のデータＧ２に応じて時刻Ｔ３から時刻Ｔ４の間に開き、ＬＥＤ１１Ｇからの緑色光を透過させて緑色のデータＧ２に応じて感光材料１４を露光し、青色のデータＢ２に応じて時刻Ｔ５から時刻Ｔ６の間に開き、ＬＥＤ１１Ｂからの青色光を透過させて青色のデータＢ２に応じて感光材料１４を露光する。
このように、本実施形態では、各画素グループＰＧにある２つの液晶画素が、順次赤色のデータを感光材料１４の上に露光し、次に順次緑色のデータを感光材料１４の上に露光し、その次に順次青色のデータを感光材料１４の上に露光するという動作を所定の周期で繰り返す。
以上の動作が書込周期ＷＦにおける感光材料１４への露光動作であり、以後はこの動作が繰り返される。即ち、第５の実施形態では、画素グループＰＧを構成する全液晶画素が２であるので、感光材料１４へのカラー露光が完了する書き込み周期ＷＦは、時分割ライン３５，３６を時分割駆動する分割周期（Ｆ１＝Ｆ２）と、カラー光源１１を構成するカラー光の色数３との積によって決定され、分割周期の３倍となる。
第５の実施形態においても、液晶画素列３０の移動方向Ｘに直交する方向における、各色のデータの露光開始位置は同じとなる。これは、Ｈ＝ｈ／ＮＭ＝ｈ／６の関係があるからである。ここで、書込周期ＷＦの間に感光材料１４が相対移動する距離をｈ、１つの画素グループ内の液晶画素数をＮ（本実施形態では、Ｎ＝２）、カラー光源の発光色数をＭ（本実施形態では、Ｍ＝３）、及び液晶画素同士をずらす距離Ｈとした。
本実施形態では、Ｌ＝ｈと設定した。このように、液晶画素列３０を構成する各液晶画素３１の相対移動方向の長さＬは距離ｈと等しいことが望ましいが、長さＬは距離ｈと異ならせても良い。
（６）第６の実施形態
次に、本発明に係る第６の実施形態として、液晶画素列３０を構成する液晶画素３１を４個ずつの画素グループＰＧに分割し、各画素グループＰＧ内における２つの液晶画素３１をＬ／１２（Ｌは液晶画素３１の感光材料の相対移動方向の長さ）ずらせた配置とした構成について説明する。なお、本実施形態では、前述した第１〜第３の実施形態とは、異なる手順でカラー露光を行っている。
図２３Ａは本発明に係る第６の実施形態における液晶シャッタの液晶画素列３０の構成を示す拡大図である。本実施形態では、液晶画素列３０を構成する液晶画素３１が４個ずつの画素グループＰＧに分割されている。そして、各画素グループＰＧ内における４つの液晶画素３１は、液晶画素３１の感光材料の相対移動方向の全長をＬとした時に、Ｌ／１２ずつずらせて配置してある。そして、液晶画素３１をずらす方向は、感光材料の移動方向（図２３Ａに矢印Ｘで示す方向）に対して、上流側から下流側に向かう方向である。即ち、同じ画素グループＰＧ内で液晶画素３１Ａに隣接する液晶画素３１Ｂは下流側にＬ／１２だけずれており、同様に、液晶画素３１Ｂと液晶画素３１Ｃ、及び液晶画素３１Ｃと液晶画素３１ＤもＬ／１２ずつずれている。また、隣接する画素グループＰＧの最初の液晶画素（図示せず）の位置は、液晶画素３１Ａの位置と同じである。液晶画素列３０が感光材料に対して図２３Ａに矢印Ｙで示す方向に移動する場合も同様である。
図２３Ｂは、図２３Ａに示す液晶シャッタの液晶画素列３０の駆動回路を示す回路構成図である。液晶画素列３０では、液晶画素列３０を構成する液晶画素３１が４個ずつの画素グループＰＧに分割されている。そして、各画素グループＰＧの４つの液晶画素３１を、例えば、液晶画素３１Ａ，３１Ｂ，３１Ｃ，３１Ｄとすると、液晶画素３１Ａを構成する液晶セルの一方の電極３２Ａが第１の時分割ライン３５に接続され、液晶画素３１Ｂを構成する液晶セルの一方の電極３２Ｂが第２の時分割ライン３６に接続され、液晶画素３１Ｃを構成する液晶セルの一方の電極３２Ｃが第３の時分割ライン３７に接続され、液晶画素３１Ｄを構成する液晶セルの一方の電極３ＤＢが第４の時分割ライン３９に接続されている。また、同じ画素グループＰＧ内の液晶画素３１Ａ，３１Ｂ，３１Ｃ，３１Ｄの他方の電極３３Ａ，３３Ｂ，３３Ｃ，３３Ｄは共通接続された後に、データライン３８を通じて図４Ａに示したドライバＩＣ２４に接続されている。隣接する画素グループＰＧの４つの液晶画素３１も同様に接続されている。
また、第１の時分割ライン３５に設けられたスイッチＳＷ１がオンの時（第１の時分割ライン３５が選択状態の時）に、各画素グループＰＧの第１の時分割ライン３５に接続する液晶画素３１が光を透過する状態となる。また、第２の時分割ライン３６に設けられたスイッチＳＷ２がオンの時（第２の時分割ライン３６が選択状態の時）に、各画素グループＰＧの第２の時分割ライン３６に接続する液晶画素３１が光を透過する状態となる。さらに、第３の時分割ライン３７に設けられたスイッチＳＷ３がオンの時（第３の時分割ライン３７が選択状態の時）に、各画素グループＰＧの第３の時分割ライン３７に接続する液晶画素３１が光を透過する状態となる。さらに、第４の時分割ライン３９に設けられたスイッチＳＷ４がオンの時（第４の時分割ライン３９が選択状態の時）に、各画素グループＰＧの第４の時分割ライン３６に接続する液晶画素３１が光を透過する状態となる。
この結果、第６の実施形態では、各画素グループＰＧで１つの電極だけがドライバＩＣ２４に接続されるので、各画素グループＰＧに４つの液晶画素３１が存在する場合は、ドライバＩＣの出力端子数が、液晶画素列３０にある液晶画素３１の総数の四分の一で良いことになる。液晶画素列３０が４８０画素の場合、１つのドライバＩＣ２４は１６０の駆動端子を有しているので、４８０÷４＝１２０から、１つのドライバＩＣのみ必要となる。即ち、図３及び図４に示した３つのドライバＩＣ２４は、本実施形態では、１つで良いことになり、大きなコストダウンを図ることができる。
図２４は図２３Ｂに示した液晶画素列３０の１つの画素グループＰＧに含まれる隣接する４つの液晶画素を、ドライバＩＣが駆動する際の各部の駆動波形を示す波形図である。他の画素グループＰＧにおける液晶画素３１の駆動波形もこれと全く同じであるので、ここでは、１つの画素グループＰＧの駆動波形のみを説明する。
第６の実施形態でも、図２３Ｂに示した第１〜第４の時分割ライン３５〜３７と３９の選択／非選択状態を、各ラインに設けられたスイッチＳＷ１〜ＳＷ４の動作として説明する。スイッチＳＷ１〜ＳＷ４は、ある時間において何れか１つだけがオンしており、他のスイッチはオフのままである。時刻Ｔ０から時刻Ｔ１までの時間はスイッチＳＷ１がオンし、時刻Ｔ１から時刻Ｔ２の間はスイッチＳＷ２がオンし、時刻Ｔ２から時刻Ｔ３の間はスイッチＳＷ３がオンし、時刻Ｔ３から時刻Ｔ４の間はスイッチＳＷ４がオンする。各スイッチＳＷ１〜ＳＷ４がオンする時間は同じである。スイッチＳＷ４のオンが時刻Ｔ４で終了すると、再びスイッチＳＷ１が時刻Ｔ４から時刻Ｔ５までオンする。この後は、スイッチＳＷ２が時刻Ｔ５から時刻Ｔ６までオンし、以後同様に、スイッチＳＷ１〜ＳＷ４が周期的にオンオフを繰り返す。
次に、ドライバＩＣからデータライン３８に与えられる画像データについて説明する。画像データは、スイッチＳＷ１がオンしている時刻Ｔ０から時刻Ｔ１までは赤色のデータＲ１であり、スイッチＳＷ２がオンしている時刻Ｔ１から時刻Ｔ２までは赤色のデータＲ２であり、スイッチＳＷ３がオンしている時刻Ｔ２から時刻Ｔ３までは赤色のデータＲ３であり、スイッチＳＷ４がオンしている時刻Ｔ３から時刻Ｔ４までは赤色のデータＲ４である。また、画像データは、スイッチＳＷ１がオンしている時刻Ｔ４から時刻Ｔ５までは緑色のデータＧ１であり、スイッチＳＷ２がオンしている時刻Ｔ５から時刻Ｔ６までは緑色のデータＧ２であり、スイッチＳＷ３がオンしている時刻Ｔ６から時刻Ｔ７までは緑色のデータＧ３であり、スイッチＳＷ４がオンしている時刻Ｔ７から時刻Ｔ８までは緑色のデータＧ４であり。さらに、画像データは、スイッチＳＷ１がオンしている時刻Ｔ８から時刻Ｔ９までは青色のデータＢ１が与えられ、スイッチＳＷ２がオンしている時刻Ｔ９から時刻Ｔ１０までは青色のデータＢ２であり、スイッチＳＷ３がオンしている時刻Ｔ１０から時刻Ｔ１１までは青色のデータＢ３であり、スイッチＳＷ４がオンしている時刻Ｔ１１から時刻Ｔ１２までは青色のデータＢ４であり。
一方、カラー光源１１にある３色のＬＥＤ１１Ｒ，１１Ｇ，１１Ｂも、或る時間にはどれか１つのみが発光する。第６の実施形態では、赤色のデータＲ１〜Ｒ４が与えられている時刻Ｔ０から時刻Ｔ４の間は赤色のＬＥＤ１１Ｒが発光し、緑色のデータＧ１〜Ｇ４が与えられている時刻Ｔ４から時刻Ｔ８の間は緑色のＬＥＤ１１Ｇが発光し、青色のデータＢ１〜Ｂ４が与えられている時刻Ｔ８から時刻Ｔ１２の間は青色のＬＥＤ１１Ｂが発光する。このように、カラー光源１１の３つのＬＥＤ１１Ｒ，１１Ｇ，１１Ｂは、データライン３８に送出される各色のデータに応じて発光する。
また、４つの液晶画素３１Ａ〜３１Ｄは、スイッチＳＷ１〜ＳＷ４の何れかがオンした状態でデータ電圧、即ち画像データが与えられた時に開き、その時に発光しているＬＥＤのカラー光を透過させてその色を感光材料１４の上に露光する。
従って、液晶画素３１Ａは、時刻Ｔ０から時刻Ｔ１の間はＬＥＤ１１Ｒからの赤色光を透過させて赤色のデータＲ１に応じて感光材料１４を露光し、時刻Ｔ４から時刻Ｔ５の間はＬＥＤ１１Ｇからの緑色光を透過させて緑色のデータＧ１に応じて感光材料１４を露光し、時刻Ｔ８から時刻Ｔ９の間はＬＥＤ１１Ｂからの青色光を透過させて青色のデータＢ１に応じて感光材料１４を露光する。
また、液晶画素３１Ｂは、時刻Ｔ１から時刻Ｔ２の間はＬＥＤ１１Ｒからの赤色光を透過させて赤色のデータＲ２に応じて感光材料１４を露光し、時刻Ｔ５から時刻Ｔ６の間はＬＥＤ１１Ｇからの緑色光を透過させて緑色のデータＧ２に応じて感光材料１４を露光し、時刻Ｔ８から時刻Ｔ９の間はＬＥＤ１１Ｂからの青色光を透過させて青色のデータＢ２に応じて感光材料１４を露光する。
さらに、液晶画素３１Ｃは、時刻Ｔ３から時刻Ｔ４の間はＬＥＤ１１Ｒからの赤色光を透過させて赤色のデータＲ３感光材料１４を露光し、時刻Ｔ６から時刻Ｔ７の間はＬＥＤ１１Ｇからの緑色光を透過させて緑色のデータＧ３に応じて感光材料１４を露光し、時刻Ｔ６から時刻Ｔ１０の間はＬＥＤ１１Ｂからの青色光を透過させて青色のデータＢ３に応じて感光材料１４を露光する。
同様に、液晶画素３１Ｄは、時刻Ｔ３から時刻Ｔ４の間はＬＥＤ１１Ｒからの赤色光を透過させて赤色のデータＲ４に応じて感光材料１４を露光し、時刻Ｔ７から時刻Ｔ８の間はＬＥＤ１１Ｇからの緑色光を透過させて緑色のデータＧ４に応じて感光材料１４を露光し、時刻Ｔ１１から時刻Ｔ１２の間はＬＥＤ１１Ｂからの青色光を透過させて青色のデータＢ４に応じて感光材料１４を露光する。
このように、第６の実施形態では、各画素グループＰＧにある４つの液晶画素が、所定の周期で、順次赤色のデータに応じて感光材料１４を露光し、次に順次緑色のデータに応じて感光材料１４を露光し、その次に順次青色のデータに応じて感光材料１４を露光するという動作を繰り返す。
以上の動作が書込周期ＷＦにおける感光材料１４への露光動作であり、以後はこの動作が繰り返される。即ち、第６の実施形態では、画素グループＰＧを構成する全液晶画素が４であるので、感光材料１４へのカラー露光が完了する書き込み周期ＷＦは、時分割ライン３５〜３７，３９を時分割駆動する分割周期（Ｆ１＝Ｆ２＝Ｆ３＝Ｆ４）と、カラー光源１１を構成するカラー光の色数３との積によって決定され、分割周期の３倍となる。
第６の実施形態においても、液晶画素列３０の移動方向Ｘに直交する方向における、各色のデータの露光開始位置は同じとなる。これは、Ｈ＝ｈ／ＮＭ＝ｈ／１２の関係があるからである。ここで、書込周期ＷＦの間に感光材料１４が相対移動する距離をｈ、１つの画素グループ内の液晶画素数をＮ（本実施形態では、Ｎ＝４）、カラー光源の発光色数をＭ（本実施形態では、Ｍ＝３）、及び液晶画素同士をずらす距離Ｈとした。
本実施形態では、Ｌ＝ｈと設定した。このように、液晶画素列３０を構成する各液晶画素３１の相対移動方向の長さＬは距離ｈと等しいことが望ましいが、長さＬは距離ｈと異ならせても良い。
以上、Ｎ＝３の場合（第４の実施形態）、Ｎ＝２の場合（第５の実施形態）及びＮ＝４の場合（第６の実施形態）について説明したが、同様の露光手順について、Ｎの数はこれらに限定されるものではない。
以上、第１〜第６の実施形態を説明したが、本発明に係る液晶露光装置によれば、液晶画素列をＮ個の液晶画素を１つのグループとした複数の画素グループに分割して、各画素グループをドライバＩＣによって駆動制御するように構成した。したがって、各液晶画素をそれぞれドライバＩＣによって駆動制御する場合に比べて、ドライバＩＣの端子数を１／Ｎにすることができた。これにより、ドライバＩＣの総数を減らすことを可能とし、液晶露光装置のコストを低減することができた。
【図１】
2004016437.tif 000003
2004016437.tif 000004
2004016437.tif 000005
2004016437.tif 000006
【図５】
2004016437.tif 000007
2004016437.tif 000008
【図７】
2004016437.tif 000009
2004016437.tif 000010
2004016437.tif 000011
2004016437.tif 000012
2004016437.tif 000013
【図１２】
2004016437.tif 000014
2004016437.tif 000015
【図１４】
2004016437.tif 000016
【図１５】
2004016437.tif 000017
【図１６】
2004016437.tif 000018
【図１７】
2004016437.tif 000019
2004016437.tif 000020
2004016437.tif 000021
2004016437.tif 000022
2004016437.tif 000023
【図２２】
2004016437.tif 000024
2004016437.tif 000025
【図２４】
2004016437.tif 000026
【国際調査報告】
2004016437.tif 000027
2004016437.tif 000028
2004016437.tif 000029
2004016437.tif 000030